(57)【要約】【課題】大当たり遊技における役物の作動態様及び保留球の記憶態様に、従来にない変化を与えることのできる遊技機を提供する。【解決手段】第一電チューの最終回の開放の開始直後（（ａ）の時点）に第一電チューに遊技球が入賞した場合、第一時間の終点が時間ＴＹの終点よりも先に到来する。よって、第一普通当たり遊技が終了するよりも前に、第一非電動役物の開放が開始される。これにより、第一普通当たり遊技の終了時点において、第一非電動役物が開放した状態にある。また、第一普通当たり遊技の最終回の開放の終了直前（（ｂ）の時点）に第一電チューに遊技球が入賞した場合、第一時間ＴＫ１の終点が時間ＴＹの終点よりも後の時点になる。よって、第一普通当たり遊技の終了後に（時間ＴＹの終了後に）、第一非電動役物の開放が開始する。【選択図】図２１
2020031966.tif 000002
【特許請求の範囲】
【請求項１】
遊技球が通過する通過口と、
遊技球が入賞困難又は入賞不能な第一状態、及び、前記第一状態よりも遊技球が入賞容易な第二状態に相互に作動可能に構成された第一作動入賞口及び第二作動入賞口と、
前記通過口を遊技球が通過することに起因して、前記第一作動入賞口を前記第一状態から前記第二状態に作動させる第一当たり遊技を制御する第一作動手段と、
前記第一作動入賞口に入賞した遊技球が通過可能な通過領域と、
前記通過領域を遊技球が通過すること応じて前記第一状態から前記第二状態に非電動式で機械的に作動する入賞口と、
前記入賞口に遊技球が入賞することを契機として乱数を取得する乱数取得手段と、
判定実行条件の成立に応じて、前記第二作動入賞口を前記第一状態から前記第二状態に作動させる第二当たり遊技を実行するかを、前記乱数に基づいて判定する判定手段と、
前記判定実行条件が成立するまで前記乱数に基づく前記判定手段による前記判定の実行を保留し、前記乱数取得手段によって取得された前記乱数を所定の上限数まで記憶する保留記憶手段と、
前記判定手段による判定結果に応じて、前記第二当たり遊技を実行する第二作動手段と
を備え、
前記判定実行条件は、少なくとも前記第一当たり遊技が終了していることを条件とし、
前記第一作動入賞口の内部は、前記第一作動手段によって前記第一当たり遊技が実行されている間に前記第一作動入賞口に入賞した遊技球が前記通過領域を通過することに応じて、前記第一当たり遊技の実行が終了した後に前記入賞口が前記第二状態になるか、又は前記第一当たり遊技の実行が終了した時点において前記入賞口が前記第二状態にあるように、遊技球が前記第一作動入賞口に入賞してから前記通過領域を通過するまでに所定時間を要するように構成されている
ことを特徴とする遊技機。
【請求項２】
前記第一当たり遊技は、前記第一作動入賞口を前記第一状態から前記第二状態に複数回作動させることで行われ、
前記第一当たり遊技における前記複数回の作動のうち最終回の作動において前記第二状態にある前記第一作動入賞口に遊技球が入賞した場合に、前記第一当たり遊技の実行が終了した後に前記入賞口が前記第二状態になるか、又は前記第一当たり遊技の実行が終了した時点において前記入賞口が前記第二状態にあることを特徴とする請求項１に記載の遊技機。
【請求項３】
前記第一当たり遊技における前記第一作動入賞口の前記複数回の作動のそれぞれは、前記所定時間以上の間隔を置いて実行されることを特徴とする請求項２に記載の遊技機。
【請求項４】
前記通過領域は、第一領域と第二領域とを少なくとも含む複数の領域を含み、
前記入賞口は、第一入賞口と第二入賞口とを有し、
前記第一入賞口は、前記第一領域を遊技球が通過することに応じて前記第一状態から前記第二状態に作動し、
前記第二入賞口は、前記第二領域を遊技球が通過することに応じて前記第一状態から前記第二状態に作動し、
前記第一状態及び前記第二状態に相互に作動可能に構成された第三作動入賞口と、
前記第一入賞口及び前記第二入賞口のうち少なくとも一方に遊技球が入賞することに起因して、前記第三作動入賞口を前記第一状態から前記第二状態に作動させる第三作動手段と
を備え、
前記第一作動入賞口の内部は、前記第一作動手段によって前記第一当たり遊技が制御されている間に前記第一作動入賞口に入賞した遊技球が、前記通過領域のうち少なくとも前記第一領域又は前記第二領域を通過することに応じて前記第一当たり遊技の実行が終了した後に前記第一入賞口又は前記第二入賞口が前記第二状態になるか、又は前記第一当たり遊技の実行が終了した時点において前記第一入賞口が前記第二状態にあるように、遊技球が前記第一作動入賞口に入賞してから前記第一領域又は前記第二領域を遊技球が通過するまでに前記所定時間を要するように構成されていることを特徴とする請求項１から３のいずれかに記載の遊技機。
【発明の詳細な説明】
【技術分野】
【０００１】
本発明は、複数の役物を備える遊技機に関する。
【背景技術】
【０００２】
従来、複数の役物を備える遊技機が知られている。特許文献１は、複数の普通電動役物を備え、特定のゲートを遊技球が通過することに起因して、複数の普通電動役物が次々に開放される、いわゆる一般電役タイプの遊技機を開示する。上記の遊技機では、第一始動ゲートを遊技球が通過すると、第一普通当たり判定が行われ、当たりと判定されると、第一普通電動役物が開放される。また、第四始動ゲートを遊技球が通過すると、第四当たり判定が行われ、当たりと判定されると、第四普通電動役物が開放される。開放された第一普通電動役物又は第四普通電動役物に遊技球が入賞すると、第二普通当たり判定が行われ、当たりと判定されると、第二普通電動役物が開放される。開放された第二普通電動役物に遊技球が入賞すると、第三普通当たり判定が行われ、当たりと判定されると、第三普通電動役物が開放される。以降は、第二及び第三普通図柄作動保留球数が「０」になるまで、第二普通当たり遊技及び一連の第三普通当たり遊技が繰り返して行われる。
【先行技術文献】
【特許文献】
【０００３】
【特許文献１】特開２００９−１３１４０９号公報
【発明の概要】
【発明が解決しようとする課題】
【０００４】
上記の遊技機では、複数の普通電動役物が次々に開放される大当たり遊技において、複数の普通電動役物の作動態様、及び普通図柄作動保留球が記憶される態様が一様であるので、大当たり遊技が単調になりがちであるという問題がある。
【０００５】
本発明は、大当たり遊技における役物の作動態様及び保留球の記憶態様に、従来にない変化を与えることのできる遊技機を提供することを目的とする。
【課題を解決するための手段】
【０００６】
本発明に係る遊技機は、遊技球が通過する通過口と、遊技球が入賞困難又は入賞不能な第一状態、及び、前記第一状態よりも遊技球が入賞容易な第二状態に相互に作動可能に構成された第一作動入賞口及び第二作動入賞口と、前記通過口を遊技球が通過することに起因して、前記第一作動入賞口を前記第一状態から前記第二状態に作動させる第一当たり遊技を制御する第一作動手段と、前記第一作動入賞口に入賞した遊技球が通過可能な通過領域と、前記通過領域を遊技球が通過すること応じて前記第一状態から前記第二状態に非電動式で機械的に作動する入賞口と、前記入賞口に遊技球が入賞することを契機として乱数を取得する乱数取得手段と、判定実行条件の成立に応じて、前記第二作動入賞口を前記第一状態から前記第二状態に作動させる第二当たり遊技を実行するかを、前記乱数に基づいて判定する判定手段と、前記判定実行条件が成立するまで前記乱数に基づく前記判定手段による前記判定の実行を保留し、前記乱数取得手段によって取得された前記乱数を所定の上限数まで記憶する保留記憶手段と、前記判定手段による判定結果に応じて、前記第二当たり遊技を実行する第二作動手段とを備え、前記判定実行条件は、少なくとも前記第一当たり遊技が終了していることを条件とし、前記第一作動入賞口の内部は、前記第一作動手段によって前記第一当たり遊技が実行されている間に前記第一作動入賞口に入賞した遊技球が前記通過領域を通過することに応じて、前記第一当たり遊技の実行が終了した後に前記入賞口が前記第二状態になるか、又は前記第一当たり遊技の実行が終了した時点において前記入賞口が前記第二状態にあるように、遊技球が前記第一作動入賞口に入賞してから前記通過領域を通過するまでに所定時間を要するように構成されていることを特徴とする。
【０００７】
本発明に係る遊技機は、第一作動入賞口に入賞した遊技球が第一作動入賞口の内部の通過領域を通過することに応じて、入賞口が作動する。遊技球が第一作動入賞口に入賞してから通過領域を通過するまでの間に所定時間を要するので、第一当たり遊技の実行中に第一作動入賞口に入賞した遊技球に起因して、第一当たり遊技の実行終了後に入賞口が作動するか、又は第一当たり遊技の実行が終了した時点において入賞口が第二状態になっている。第一当たり遊技の終了に伴い判定実行条件が成立すると、判定手段は、乱数に基づく判定を実行する。例えば、乱数が上限数まで記憶されている状態において判定手段による判定が行われると、保留記憶手段によって記憶されている乱数の数が上限数に対して「１」減少する。保留記憶手段によって記憶されている乱数の数が第一上限数よりも少なくなる。この状態において、第二状態に作動している入賞口に遊技球が入賞することで、保留記憶手段は、記憶する乱数の数を上限数まで増加させることができる。これにより、乱数に基づく判定手段によって導出される判定結果に応じて、第二作動手段によって第二当たり遊技が実行される回数が増加しうる。したがって、本発明に係る遊技機は、大当たり遊技における役物の作動態様及び保留球の記憶態様に、従来にない変化を与えることができる。
【０００８】
前記第一当たり遊技は、前記第一作動入賞口を前記第一状態から前記第二状態に複数回作動させることで行われ、前記第一当たり遊技における前記複数回の作動のうち最終回の作動において前記第二状態にある前記第一作動入賞口に遊技球が入賞した場合に、前記第一当たり遊技の実行が終了した後に前記入賞口が前記第二状態になるか、又は前記第一当たり遊技の実行が終了した時点において前記入賞口が前記第二状態にあってもよい。
【０００９】
この場合、第一当たり遊技において第一作動入賞口が第一状態から第二状態に作動する毎に、第一作動入賞口に遊技球が入賞可能になる。第一当たり遊技の実行中には、判定手段による判定が実行されないので、第一作動入賞口の作動が行われ、第一作動入賞口に遊技球が入賞する毎に、保留記憶手段によって記憶される乱数の数が上限数まで上限し得る。この状態で、第一当たり遊技における第一作動入賞口の最終回の作動において入賞した遊技球に起因して、第一当たり遊技が終了した後に入賞口が第二状態になるか、又は第一当たり遊技の実行が終了した時点において入賞口が第二状態になっている。また、第一当たり遊技の終了に伴い判定手段による判定が行われ得る。この場合、第一記憶手段によって記憶されている乱数が上限数よりも減少した状態になるが、第一当たり遊技の終了後に作動する入賞口へ遊技球が入賞することにより、乱数が再度第一上限数まで増加しうる。このようにして、遊技機は、大当たり遊技における役物の作動態様及び保留球の記憶態様に変化を与え、また、遊技者の利益を増加させて、大当たり遊技の興趣の向上を図ることができる。
【００１０】
前記第一当たり遊技における前記第一作動入賞口の前記複数回の作動のそれぞれは、前記所定時間以上の間隔を置いて実行されてもよい。
【００１１】
この場合、第一当たり遊技における第一作動入賞口の作動終了後の所定時間の間に、第一作動入賞口に入賞した遊技球が通過領域を通過し、第一入賞口が作動する。その後に新たな第一作動入賞口の作動が行われ得るので、第一作動入賞口の作動と入賞口の作動とが交互に繰り返して行われ得る。このように、遊技機は、大当たり遊技における第一作動入賞口及び入賞口の連動を繰り返して行うことで、大当たり遊技に変化を与え、大当たり遊技の興趣を向上できる。
【００１２】
前記通過領域は、第一領域と第二領域とを少なくとも含む複数の領域を含み、前記入賞口は、第一入賞口と第二入賞口とを有し、前記第一入賞口は、前記第一領域を遊技球が通過することに応じて前記第一状態から前記第二状態に作動し、前記第二入賞口は、前記第二領域を遊技球が通過することに応じて前記第一状態から前記第二状態に作動してもよい。前記遊技機は、前記第一状態及び前記第二状態に相互に作動可能に構成された第三作動入賞口と、前記第一入賞口及び前記第二入賞口のうち少なくとも一方に遊技球が入賞することに起因して、前記第三作動入賞口を前記第一状態から前記第二状態に作動させる第三作動手段とを備えてもよい。前記第一作動入賞口の内部は、前記第一作動手段によって前記第一当たり遊技が制御されている間に前記第一作動入賞口に入賞した遊技球が、前記通過領域のうち少なくとも前記第一領域又は前記第二領域を通過することに応じて前記第一当たり遊技の実行が終了した後に前記第一入賞口又は前記第二入賞口が前記第二状態になるか、又は前記第一当たり遊技の実行が終了した時点において前記第一入賞口が前記第二状態にあるように、遊技球が前記第一作動入賞口に入賞してから前記第一領域又は前記第二領域を遊技球が通過するまでに前記所定時間を要するように構成されていてもよい。
【００１３】
この場合、第一作動入賞口への遊技球の入賞に伴い作動しうる非電動式の入賞口が複数になる。非電動式の入賞口のうち第一入賞口及び第二入賞口のいずれに入賞するかに応じて、その後に作動する作動入賞口が異なるので、遊技機は、大当たり遊技における役物の作動態様にさらなる変化を与えることができる。また、第一作動入賞口の内部が、遊技球が第一作動入賞口に入賞してから第一領域を通過するまでに所定時間を有するように構成されているので、複数の非電動式の入賞口のうち、少なくとも第一入賞口は、第一当たり遊技の終了後に第二状態に作動しうる。このため、遊技者は、第一当たり遊技の終了後に第一入賞口に遊技球を入賞させることによって、第一記憶手段によって記憶される乱数の数を、再度、上限数まで増加させることができる。これにより、遊技機は、大当たり遊技を多様化し、大当たり遊技がより有利になることに対する期待感を遊技者に抱かせることができる。
【図面の簡単な説明】
【００１４】
【図１】パチンコ機１の正面図である。
【図２】遊技盤２の正面図である。
【図３】振分流路１９の構成図である。
【図４】第一電チュー１２、振分流路１９、第一非電動役物１７及び第二非電動役物１８の連動について説明する説明図である。
【図５】第一電チュー１２の開閉部材１２１の電チュー開放パターン及び振分シャッタ１９５の動作パターンを示す説明図である。
【図６】パチンコ機１の電気的構成を示すブロック図である。
【図７】ＲＡＭ５２の第一普通当たり関係情報記憶エリアを示す概念図である。
【図８】ＲＯＭ５３に記憶されている第一普通図柄決定テーブルを示す概念図である。
【図９】ＲＯＭ５３に記憶されている第一変動パターン決定テーブルの概念図である。
【図１０】主基板４１において行われるメイン処理のフローチャートである。
【図１１】メイン処理の中において行われる第一普通図柄処理のフローチャートである。
【図１２】メイン処理の中において行われる第一普通図柄処理のフローチャートである。
【図１３】メイン処理の中において行われる第一普通電動役物処理のフローチャートである。
【図１４】メイン処理の中において行われる第二普通図柄処理のフローチャートである。
【図１５】メイン処理の中において行われる第二普通電動役物処理のフローチャートである。
【図１６】メイン処理の中において行われる第三普通図柄処理のフローチャートである。
【図１７】メイン処理の中において行われる第三普通電動役物処理のフローチャートである。
【図１８】メイン処理の中において行われる第四普通図柄処理のフローチャートである。
【図１９】メイン処理の中において行われる第四普通電動役物処理のフローチャートである。
【図２０】第一パターンＰ１で第一普通当たり遊技が行われた場合における大当たり遊技中の電チュー等の基本動作を示すタイミングチャートである。
【図２１】第一パターンＰ１の最終回の開放で第一電チュー１２に遊技球が入賞した場合における時間ＴＹと第一時間ＴＫ１との関係を示すタイミングチャートである。
【図２２】第二パターンＰ２で第一普通当たり遊技が行われた場合における大当たり遊技中の電チュー等の基本動作を示すタイミングチャートである。
【図２３】第二パターンＰ２の最終回の開放で第一電チュー１２に遊技球が入賞した場合における時間ＴＹと第二時間ＴＫ２との関係を示すタイミングチャートである。
【図２４】第二パターンＰ２で第一普通当たり遊技が行われた場合における大当たり遊技中の電チュー等の基本動作を示すタイミングチャートである。
【図２５】第二パターンＰ２で第一普通当たり遊技が行われた場合における大当たり遊技中の電チュー等の基本動作を示すタイミングチャートである。
【発明を実施するための形態】
【００１５】
以下、本発明に係る遊技機の第一実施形態であるパチンコ機１について、図面を参照して説明する。まず、図１及び図２を参照して、パチンコ機１の機械的構成について説明する。以下の説明では、図１の手前側、奥側、上側、下側、左側、及び右側を、それぞれ、パチンコ機１の前側、後側、上側、下側、左側、及び右側とする。パチンコ機１は、複数の普通電動役物を含む役物が連続的に作動することで大当たり遊技を行う、いわゆる一般電役タイプの遊技機である。
【００１６】
図１及び図２を参照して、パチンコ機１の機械的構成について説明する。図１に示すように、パチンコ機１は、遊技盤２を着脱可能な本体枠２９を備える。遊技盤２は正面視略正方形の板状である（図２参照）。本体枠２９に装着された遊技盤２は、パチンコ機１の上側部分に配置される。遊技盤２は、本体枠２９と、本体枠２９の前側に装着された前面枠２９１との間で保持される。前面枠２９１は、透明なガラス板を保持しており、遊技盤２の前面を保護する。
【００１７】
遊技盤２の下部には上皿５が設けられている。上皿５は、遊技球発射装置３７（図６参照）に金属製の遊技球を供給し、且つ賞球を受ける。上皿５の上面には、遊技者によって操作される操作ボタン９が設けられている。上皿５の直下には、賞球を受ける下皿６が設けられている。下皿６の右横には、遊技球の発射を調整する発射ハンドル７が設けられている。発射ハンドル７は、遊技者が回転操作できるように設けられており、遊技者が発射ハンドル７を回転させて発射操作を行うと、発射ハンドル７の回転角度に応じた強度で、遊技球発射装置３７によって遊技球が発射される。前面枠２９１のガラス板を取り囲むように、電飾部材３５が設けられている。電飾部材３５は、遊技の進行等に応じて点灯又は点滅可能である。前面枠２９１の上部の両角部に、スピーカ４８がそれぞれ設けられている。
【００１８】
図２に示すように、遊技盤２の前面には、ガイドレール３で囲まれた略円形の遊技領域４が形成されている。ガイドレール３は、遊技領域４の左側に形成されている。遊技領域４の略中央には、各種演出を実行するセンター飾り８が設けられている。遊技球発射装置３７によって発射された遊技球は、ガイドレール３によって遊技領域４へ導かれ、遊技領域４内を流下する。所定の強度未満の発射強度で発射された遊技球は、センター飾り８の左側を流下し、所定の強度以上の発射強度で発射された遊技球は、センター飾り８の右側を流下する。以下、センター飾り８の左側を流下するように遊技球を発射することを「左打ち」と、センター飾り８の右側を流下するように遊技球を発射することを「右打ち」という。
【００１９】
センター飾り８は、表示画面２８等を主に備える。表示画面２８は、センター飾り８の上部の略中央に配置される。表示画面２８は、例えばＬＣＤ等によって構成されており、様々な数字・文字等を表示可能である。表示画面２８は、例えば、普通当たり判定の結果を遊技者に報知する演出用の図柄である演出図柄を表示する。パチンコ機１は、複数（本実施形態では３つ）の演出図柄を変動させる図柄変動を表示した後に、普通当たり判定の結果を示す演出図柄の組合せを確定表示する報知演出を実行することで、普通当たり判定の結果を遊技者に報知する。本実施形態では、後述する第一普通当たり判定の結果が、報知演出によって報知される。
【００２０】
センター飾り８の略中央下方には、遊技球が通過可能なゲート１１が設けられている。パチンコ機１の遊技領域４には、いわゆる普通電動役物（入賞口の入口の大きさを変化させて普通当たり遊技を行う役物）として、複数の電動チューリップ（以下、「電チュー」という。）が設けられている。表示画面２８の右斜め上方には、第一電チュー１２が設けられている。
【００２１】
第一電チュー１２は、第一電チューソレノイド６４（図６参照）によって電気的に開閉される開閉部材１２１を備える。開閉部材１２１は、左右方向に長手方向を有して前後方向に延びる略平板状の部材である。開閉部材１２１は、閉鎖状態において第一電チュー１２の入口を上部から覆うことで第一電チュー１２への遊技球の入賞を阻害し、開放状態において後方にスライドすることで第一電チュー１２の入口を開放し、第一電チュー１２への遊技球の入賞を可能にする。閉鎖状態において開閉部材１２１の上側に遊技球が乗った状態で、開閉部材１２１が開放状態に移行した場合、開閉部材１２１の上側から第一電チュー１２の入口からに向けて遊技球が落下することで、第一電チュー１２に遊技球が入賞する。したがって、開閉部材１２１の上側に遊技球が乗った状態で開閉部材１２１が閉鎖状態から開放状態に移行することで、開閉部材１２１が開放する時間が比較的短い場合であっても、第一電チュー１２に遊技球が入賞しうる。本実施形態では、開閉部材１２１が開放された開放状態の場合にのみ、遊技球が第一電チュー１２に入賞できる。なお、第一電チュー１２は、開閉部材１２１が閉鎖された閉鎖状態にも遊技球の入賞が可能であって、開閉部材１２１が開放されることで閉鎖状態よりも遊技球が入賞容易となる構成であってもよい。
【００２２】
第一電チュー１２の左斜め下方には、第一非電動役物１７が設けられている。第一非電動役物１７は、第二種非電動役物に係る入賞口として構成されている。第二種非電動役物は、電動役物（電気的動力によって動作する役物）以外の役物であり、遊技球が当該入賞口以外の特定の入賞口に入賞し、又は特定のゲートを通過した場合に作動する役物である。すなわち、第一非電動役物１７の開閉部材１７１は、ソレノイド等によって電気的に開閉されるものではなく、機械的に開閉される。本実施形態では、開閉部材１７１が開放された開放状態の場合にのみ、遊技球は第一非電動役物１７に入賞できる。なお、第一非電動役物１７は、開閉部材１７１が閉鎖された閉鎖状態にも遊技球の入賞が可能であって、開閉部材１７１が開放されることで閉鎖状態よりも遊技球が入賞容易となる構成であってもよい。
【００２３】
第一非電動役物１７の右斜め上方には、第二非電動役物１８が設けられている。第二非電動役物１８も、第二種非電動役物に係る入賞口として構成されている。このため、第二非電動役物１８の開閉部材１８１は、機械的に開閉される。本実施形態では、開閉部材１８１が開放された開放状態の場合にのみ、遊技球は第二非電動役物１８に入賞できる。なお、第二非電動役物１８は、開閉部材１８１が閉鎖された閉鎖状態にも遊技球の入賞が可能であって、開閉部材１８１が開放されることで閉鎖状態よりも遊技球が入賞容易となる構成であってもよい。
【００２４】
第一電チュー１２と、第一非電動役物１７及び第二非電動役物１８との上下方向における間の位置には、振分流路１９が設けられている。振分流路１９は、第一電チュー１２に入賞した遊技球のみが通過できる流路であり、遊技盤２の前面に対して後面側に設けられている。
【００２５】
第一非電動役物１７の右斜め下方には、第二電チュー１３が設けられている。第二電チュー１３は、第二電チューソレノイド６５（図６参照）によって電気的に開閉される開閉部材１３１を備える。本実施形態では、開閉部材１３１が開放された開放状態の場合にのみ、遊技球が第二電チュー１３に入賞できる。第二電チュー１３の左斜め下方には、第三電チュー１４が設けられている。第三電チュー１４は、第三電チューソレノイド６６（図６参照）によって電気的に開閉される開閉部材１４１を備える。本実施形態では、開閉部材１４１が開放された開放状態の場合にのみ、遊技球が第三電チュー１４に入賞できる。第三電チュー１４の左斜め下方には、第四電チュー１５が設けられている。第四電チュー１５は、第四電チューソレノイド６７（図６参照）によって電気的に開閉される開閉部材１５１を備える。本実施形態では、開閉部材１５１が開放された開放状態の場合にのみ、遊技球が第四電チュー１５に入賞できる。なお、第二電チュー１３、第三電チュー１４及び第四電チュー１５は、開閉部材１３１，１４１，１５１が閉鎖された閉鎖状態にも遊技球の入賞が可能であって、開閉部材１３１，１４１，１５１が開放されることで閉鎖状態よりも遊技球が入賞容易となる構成であってもよい。
【００２６】
以下では、第一電チュー１２、第二電チュー１３、第三電チュー１４、及び第四電チュー１５を総称する場合、単に電チューという。また、第一非電動役物１７、第二非電動役物１８を総称する場合、単に非電動役物という。遊技領域４には、上記以外に、アウト口２０、各種の電飾部材、入賞口、風車及び遊技くぎ等が設けられている。アウト口２０は、遊技盤２の下部に設けられている。遊技領域４を流下する遊技球のうち、電チュー、非電動役物及びその他の入賞口のいずれにも入賞せず遊技領域４の下部まで流下した遊技球は、アウト口２０を通過した後、遊技領域４の外部へ排出される。
【００２７】
なお、各遊技部材が遊技領域４において上記のように配設されるため、左打ちされた遊技球は、右打ちされた遊技球よりも、ゲート１１を通過しやすい。また、右打ちされた遊技球は、左打ちされた遊技球よりも、第一電チュー１２、第二電チュー１３、第三電チュー１４、第四電チュー１５、第一非電動役物１７、第二非電動役物１８へ入賞しやすい。左打ちされた遊技球が、第一電チュー１２、第二電チュー１３、第三電チュー１４、第四電チュー１５、第一非電動役物１７、第二非電動役物１８へ入賞することは困難である。したがって、遊技者は、後述する大当たり遊技中は右打ちによって遊技を進め、それ以外の場合は左打ちによって遊技を進める。
【００２８】
遊技盤２の右下部には、図柄表示部２４が設けられている。図柄表示部２４は、第一普通図柄表示部、第二普通図柄表示部、第三普通図柄表示部、第四普通図柄表示部、第一普通図柄記憶数表示ＬＥＤ、第二普通図柄記憶数表示ＬＥＤ、第三普通図柄記憶数表示ＬＥＤ、及び第四普通図柄記憶数表示ＬＥＤを備える。第一〜第四普通図柄表示部は、それぞれ１〜複数個のＬＥＤ又は７セグメントＬＥＤからなり、第一〜第四普通当たり判定の結果を示す第一〜第四普通図柄を、ＬＥＤの点灯及び消灯によって表示する。第一〜第四普通図柄記憶数表示ＬＥＤは、第一〜第四普通当たり判定の結果がまだ表示されていない遊技球の個数（いわゆる「保留球数」）を表示する。
【００２９】
普通電動役物である電チューの搭載個数には、射幸性の観点等から一定の制限が設けられている。パチンコ機１は、第一非電動役物１７及び第二非電動役物１８を、第二種非電動役物に係る入賞口として構成している。したがって、パチンコ機１は、普通電動役物の搭載個数の制限に関わらず、電チューに加えて第一非電動役物１７及び第二非電動役物１８を設けることができる。このようにして、パチンコ機１は、種々の制約にとらわれることなく、多くの役物を搭載した斬新な遊技仕様を実現している。
【００３０】
図３を参照し、振分流路１９の詳細構成について説明する。振分流路１９は、遊技球が流下可能な流路１９１を備える。図示しないが、流路１９１の上端は、第一電チュー１２の内部と連通している。流路１９１は、その上下方向における中央よりもやや上方の位置において、第一流路１９１Ａと第二流路１９１Ｂとに分岐している。第一流路１９１Ａは、流路１９１の分岐点から左斜め下方に延びた後、下方に延びる。第一流路１９１Ａのうち分岐点から左斜め下方に延びる部分の下側の壁には、第一流路１９１Ａを流れる遊技球の勢いを抑制可能な突部を複数有する抑制部１９８が設けられている。
【００３１】
第二流路１９１Ｂは、流路１９１の分岐点から上下方向に延びた後、第一流路１９１Ａの下側において左斜め下方に延びた後、下方に延びる。第二流路１９１Ｂのうち左斜め下方に延びる部分の下側の壁には、抑制部１９８と同様の抑制部１９９が設けられている。第一流路１９１Ａの下端には、第一通過領域１９２が設けられている。第二流路１９１Ｂの下端には、第二通過領域１９３が設けられている。第一通過領域１９２及び第二通過領域１９３は、それぞれ遊技球が通過可能に形成された領域である。
【００３２】
第一流路１９１Ａと第二流路１９１Ｂとの分岐点には、振分シャッタ１９５が設けられている。振分シャッタ１９５は、第一流路１９１Ａと第二流路１９１Ｂとの分岐点を中心に搖動可能に構成されている略平板状の部材であり、振分シャッタソレノイド６９（図６参照）によって電気的に作動される。振分シャッタ１９５は、第一位置Ｄ１に配置されているときには、第二流路１９１Ｂへの遊技球の通過を規制するとともに、第一流路１９１Ａへの遊技球の通過を許容し、遊技球を第一通過領域１９２に誘導する。第一位置Ｄ１は、振分シャッタ１９５が原点位置にある状態の位置である。振分シャッタ１９５は、第二位置Ｄ２に配置されているときには、第一流路１９１Ａへの遊技球の通過を規制するとともに、第二流路１９１Ｂへの遊技球の通過を許容し、遊技球を第二通過領域１９３に誘導する。すなわち、振分シャッタ１９５は、第一電チュー１２に入賞した遊技球が、第一通過領域１９２を通過するか、第二通過領域１９３を通過するかを振り分ける。
【００３３】
第一通過領域１９２の後方には、第一作動機構（図示略）が設けられている。第一作動機構は、例えばフックである。遊技球が第一通過領域１９２を通過すると、第一作動機構が作動して（例えば、フックが外れて）、第一非電動役物１７の開閉部材１７１が開放される。すなわち、第一通過領域１９２は、第二種非電動役物に係る第一非電動役物１７を作動させるための特定のゲートに相当する。第一通過領域１９２を通過した遊技球は、その後、振分流路１９の外部へ排出される。
【００３４】
また、第一非電動役物１７の開閉部材１７１には、第一閉鎖機構（図示略）が設けられている。第一閉鎖機構は、例えばギヤである。第一非電動役物１７に所定個数（本実施形態では、１個）の遊技球が入賞すると、第一閉鎖機構が作動して（例えば、ギヤが回転して）、第一非電動役物１７の開閉部材１７１が閉鎖される。このように、第一非電動役物１７の開閉部材１７１は、電気的動力を用いることなく、機械的に開閉される。
【００３５】
第二通過領域１９３の後方には、第二作動機構（図示略）が設けられている。第二作動機構は、例えばフックである。遊技球が第二通過領域１９３を通過すると、第二作動機構が作動して（例えば、フックが外れて）、第二非電動役物１８の開閉部材１８１が開放される。すなわち、第二通過領域１９３は、第二種非電動役物に係る第二非電動役物１８を作動させるための特定のゲートに相当する。第二通過領域１９３を通過した遊技球は、その後、振分流路１９の外部へ排出される。
【００３６】
また、第二非電動役物１８の開閉部材１８１には、第二閉鎖機構（図示略）が設けられている。第二閉鎖機構は、例えばギヤである。第二非電動役物１８に所定個数（本実施形態では、１個）の遊技球が入賞すると、第二閉鎖機構が作動して（例えば、ギヤが回転して）、第二非電動役物１８の開閉部材１８１が閉鎖される。このように、第二非電動役物１８の開閉部材１８１は、電気的動力を用いることなく、機械的に開閉される。
【００３７】
第一電チュー１２に遊技球が入賞してから、振分シャッタ１９５が第一位置Ｄ１にある状態でその遊技球が第一流路１９１Ａを流下して第一通過領域１９２を通過するまでにかかる平均時間を第一時間ＴＫ１とする。第一電チュー１２に遊技球が入賞してから、振分シャッタ１９５が第二位置Ｄ２にある状態でその遊技球が第二流路１９１Ｂを流下して第二通過領域１９３を通過するまでにかかる平均時間を第二時間ＴＫ２とする。第二流路１９１Ｂの長さは、第一流路１９１Ａよりも長くされている。また、第一流路１９１Ａに設けられている抑制部１９８の長さは、第二流路１９１Ｂに設けられている抑制部１９９の長さよりも長い。このため、第一時間ＴＫ１よりも第二時間ＴＫ２の方が長くなる。本実施形態において、第一時間ＴＫ１は約１．７秒であり、第二時間ＴＫ２は約１．８秒である。
【００３８】
図４を参照し、第一電チュー１２、振分流路１９、第一非電動役物１７及び第二非電動役物１８の連動について説明する。図４の（Ａ）に示すように、第一電チュー１２の開閉部材１２１が開放されると、遊技球が第一電チュー１２に入賞可能になる。（Ａ）では、第一電チュー１２に遊技球が１個入賞したとする。
【００３９】
（Ｂ）に示すように、振分シャッタ１９５が第一位置Ｄ１（図３参照）に配置されているとき、第一電チュー１２に入賞した遊技球は第一流路１９１Ａを流下した後、第一通過領域１９２を通過する。これにより、第一作動機構が作動して、第一非電動役物１７の開閉部材１７１が開放状態になる。なお、第一電チュー１２の開閉部材１２１は、所定の開放パターンに基づく開放を行った後に閉鎖状態になる。
【００４０】
次いで、（Ｃ）に示すように、第一非電動役物１７の開閉部材１７１が開放されると、遊技球が第一非電動役物１７に入賞可能になる。（Ｃ）では、開放された第一非電動役物１７に遊技球が１個入賞したとする。これにより、（Ｄ）に示すように、第一閉鎖機構が作動して、第一非電動役物１７の開閉部材１７１が閉鎖状態になる。
【００４１】
一方、（Ｅ）に示すように、振分シャッタ１９５が第二位置Ｄ２（図３参照）に配置されているとき、第一電チュー１２に入賞した遊技球は第二流路１９１Ｂを流下した後、第二通過領域１９３を通過する。これにより、第二作動機構が作動して、第二非電動役物１８の開閉部材１８１が開放状態になる。なお、第一電チュー１２の開閉部材１２１は、所定の開放パターンに基づく開放を行った後に閉鎖状態になる。
【００４２】
次いで、（Ｆ）に示すように、第二非電動役物１８の開閉部材１８１が開放されると、遊技球が第二非電動役物１８に入賞可能になる。振分シャッタ１９５は、動作を終えると、原点位置である第一位置Ｄ１に戻る。（Ｆ）では、開放された第二非電動役物１８に遊技球が１個入賞したとする。これにより、（Ｄ）に示すように、第二閉鎖機構が作動して、第二非電動役物１８の開閉部材１８１が閉鎖状態になる。
【００４３】
図５を参照して、第一電チュー１２の開閉部材１２１の開放パターン及び振分シャッタ１９５の動作パターンについて説明する。第一電チュー１２の開閉部材１２１は、ゲート１１を遊技球が通過することを契機として、第一普通当たり判定によって第一普通当たりであると判定された場合、普通当たり遊技に係る開閉動作を行う。第一普通当たり判定の結果に応じて第一電チュー１２が開放される普通当たり遊技を、第一普通当たり遊技という。
【００４４】
第一普通当たり遊技に係る第一電チュー１２の開閉動作は、第一パターンＰ１又は第二パターンＰ２のいずれかの開放パターンで行われる。第一パターンＰ１では、まず、時点Ｔ０から時間ＴＡが経過するまでの間、第一電チュー１２の開閉部材１２１が開放状態にされる。本実施形態において、時間ＴＡは、０．２５０秒である。時点Ｔ０から時間ＴＡが経過した時点Ｔ２になると、第一電チュー１２の開閉部材１２１が閉鎖状態にされる。その後、開閉部材１２１の閉鎖状態が約４秒間継続し、時点Ｔ３になると、１回目の開閉部材１２１の開閉動作が終了する。したがって、第一パターンＰ１における開閉部材１２１の１回の開閉動作は、時点Ｔ０から時点Ｔ３までの時間ＴＢに亘って行われる。本実施形態において、時間ＴＢは、約４．３秒である。
【００４５】
１回目の開閉部材１２１の開閉動作が終了すると、時点Ｔ３から時点Ｔ５までの間に、２回目の開閉部材１２１の開閉動作が行われる。２回目から４回目までの開閉部材１２１の開閉動作も、時間ＴＡの開放状態と、約４秒間の閉鎖状態とによって構成される。５回目の開閉部材１２１の開閉動作は、時間ＴＡの開放状態と、時間ＴＹの閉鎖状態とによって構成される。時間ＴＹは、最終回の開閉部材１２１の開放において第一電チュー１２に遊技球が入賞してから、振分流路１９の流路１９１の分岐点を通過し、振分シャッタ１９５によって第一流路１９１Ａ又は第二流路１９１Ｂに振り分けられるまでにかかる時間よりもやや長い時間に設定されている。時間ＴＹは、第一電チュー１２における、いわゆる球はけ時間である。本実施形態において、時間ＴＹは、約１．６秒である。
【００４６】
第一パターンＰ１による第一普通当たり遊技は、第一パターンＰ１によって予め定められた最大５回の第一電チュー１２の開閉動作が終了するか、又は第一電チュー１２に所定個数（本実施形態では、８個）の遊技球が入賞するまで行われる。本実施形態では、１回の開閉部材１２１の開閉動作において、１個の遊技球が第一電チュー１２に入賞することを想定している。開閉部材１２１の開閉動作が５回行われる場合、第一パターンＰ１での普通当たり遊技は、時点Ｔ０から時点Ｔ１１までの間に亘って行われる。本実施形態において、時点Ｔ０から時点Ｔ１１までの時間は約１９．０５秒間である。時点Ｔ０から時点Ｔ１１までの時間は、後述する時間ＴＤと同じ時間である。
【００４７】
一方、第二パターンＰ２では、まず、時点Ｔ０から時間ＴＣが経過するまでの間、第一電チュー１２の開閉部材１２１が開放状態にされる。本実施形態において、時間ＴＣは、０．０４０秒である。なお、この時間ＴＣの開閉部材１２１の開放は非常に短時間であるので、第一電チュー１２に遊技球が入賞しない可能性が高い。その後、時点Ｔ１から時点Ｔ１１までの約１９秒の間、開閉部材１２１が閉鎖状態にされる。次いで、時点Ｔ１１から時点Ｔ２１までの間、第一パターンＰ１における５回の開閉部材１２１の開閉動作と同様の開閉動作が行われる。時点Ｔ１１から時点Ｔ２１までの時間は、第一パターンＰ１と同じく時間ＴＤである。
【００４８】
なお、開放パターン毎に予め定められた回数の開閉動作が終了するよりも前に、第一電チュー１２に８個の遊技球が入賞した場合には、各開放パターンによる開閉動作の途中であっても、開閉部材１２１の開放が終了した後、球はけ時間に相当する時間ＴＹの閉鎖状態を経て、第一普通当たり遊技が終了する。第一電チュー１２が閉鎖するための所定個数は、８個以外の任意の個数であってもよい。
【００４９】
振分シャッタ１９５は、所定の振分シャッタ動作パターンで動作する。動作を開始する前の振分シャッタ１９５は、第二位置Ｄ２に配置される。振分シャッタ動作パターンによる振分シャッタ１９５の動作は、第一電チュー１２の普通当たり遊技の開始時点である時点Ｔ０に開始される。振分シャッタ動作パターンでは、普通当たり遊技の開始時点である時点Ｔ０から時間ＴＤが経過するまでの間、振分シャッタ１９５が第二位置Ｄ２から移動して、第一位置Ｄ１に配置される。本実施形態において、時間ＴＣは、約１９．０５秒間である。その後、振分シャッタ１９５は第二位置Ｄ２に配置される。したがって、第一パターンＰ１では、第一普通当たり遊技の開始時点から終了時点までの間（時点Ｔ０から時点Ｔ１１までの間）を通じて、振分シャッタ１９５が第一位置Ｄ１に配置される。また、第二パターンＰ２では、第一普通当たり遊技の前半の時間ＴＤの間には振分シャッタ１９５が第一位置Ｄ１に配置され、後半の時間ＴＤの間（時点Ｔ１１から時点Ｔ２１までの間）には振分シャッタ１９５が第二位置Ｄ２に配置される。
【００５０】
よって、第一パターンＰ１では、時点Ｔ０から時点Ｔ１１までの間に行われる５回の開閉部材１２１の開閉動作において、第一電チュー１２に入賞して振分流路１９の流路１９１を流下する遊技球のほぼ全部が、第一流路１９１Ａへ導かれて第一通過領域１９２を通過する。遊技球が第一通過領域１９２を通過すると、第一作動機構が作動して、第一非電動役物１７の開閉部材１７１が開放される。したがって、第一パターンＰ１での第一普通当たり遊技では、第一電チュー１２に遊技球が入賞した場合、主に第一非電動役物１７の開閉部材１７１が開放状態にされ、第二非電動役物１８の開閉部材１８１が開放状態になることは稀である。
【００５１】
また、第二パターンＰ２では、時点Ｔ１１から時点Ｔ２１までの間に行われる５回の開閉部材１２１の開閉動作において、第一電チュー１２に入賞して振分流路１９の流路１９１を流下する遊技球のほぼ全部が、第二流路１９１Ｂへ導かれて第一通過領域１９２を通過する。なお、第二パターンＰ２の第一普通当たり遊技の開始直後における時間ＴＣの開閉部材１２１の開放においては第一電チュー１２に遊技球が入賞しない可能性が高い。したがって、第二パターンＰ２での第一普通当たり遊技では、第一電チュー１２に遊技球が入賞した場合、主に第二非電動役物１８の開閉部材１８１が開放状態にされ、第一非電動役物１７の開閉部材１７１が開放状態になることは稀である。
【００５２】
図２を参照して、パチンコ機１における大当たり遊技の流れの一例について説明する。パチンコ機１において、第一普通当たり遊技が行われることを契機として、複数の電チュー及び非電動役物が連続的に開放する遊技を、大当たり遊技という。なお、まだ大当たり遊技が行われていない状態において、第一普通当たり判定によって第一普通当たりであると判定されたことを契機として開始される大当たり遊技を、「初当たり遊技」ともいう。以下では、初当たり遊技の流れについて説明する。
【００５３】
パチンコ機１では、大当たり遊技の実行中でない状態では、左打ちで遊技が進行する。ゲート１１は、第一普通図柄の作動ゲートとして機能する。左打ちされた遊技球がゲート１１を通過すると、第一普通当たり判定が行われる。パチンコ機１では、第一普通当たり判定によって当たりと判定される確率（以下、「第一普通当たり確率」という。）は、約１／６０である。以下、第一普通当たり判定によって当たりと判定されることを「第一普通当たり」ともいう。なお、第一普通当たり確率は、上記以外の確率であってもよい。本実施形態において、ゲート１１を通過した遊技球に対して、第一普通当たり判定を保留して乱数を記憶しておくことのできる数（最大第一保留球数）は「４」である。
【００５４】
第一普通当たり判定が行われると、図柄表示部２４の第一普通図柄表示部に表示される第一普通図柄が変動を開始する。第一普通図柄の変動に同期して、表示画面２８、スピーカ４８、電飾部材等によって報知演出が行われる。普通図柄の変動のうち、当たりを示す図柄が確定表示される変動を当たり変動といい、はずれを示す図柄が確定表示される変動をはずれ変動という。第一普通当たり判定によって第一普通当たりと判定されると、当たり変動が行われた後に、第一電チュー１２の開閉部材１２１が第一パターンＰ１又は第二パターンＰ２のいずれかの電チュー開放パターンで開放される第一普通当たり遊技が実行される。開放された第一電チュー１２に遊技球が入賞すると、入賞した遊技球の個数に応じて、所定数の賞球が払い出される。第一普通当たり遊技が開始されると、遊技者は、第一電チュー１２に遊技球を入賞させるため、以降の遊技を右打ちによって進行する。なお、第一普通当たり遊技が実行されている間には、第一普通図柄は変動しない。
【００５５】
第一普通当たり遊技で開放された第一電チュー１２に入賞した遊技球は、振分流路１９の流路１９１（図３及び図４参照）を流下する。第一普通当たり遊技が第一パターンＰ１で行われた場合、第一位置Ｄ１（図３参照）に配置される振分シャッタ１９５によって、流路１９１を流下する遊技球の大半が第一流路１９１Ａへ導かれて第一通過領域１９２を通過する。遊技球が第一通過領域１９２を通過することによる第一作動機構の作動により、第一非電動役物１７の開閉部材１７１が開放する。開放した第一非電動役物１７に１個の遊技球が入賞すると、第一閉鎖機構の作動により開閉部材１７１が閉鎖する。
【００５６】
第一非電動役物１７は、遊技球を獲得するための入賞口であるとともに、第三普通図柄の作動口でもある。よって、第一非電動役物１７へ遊技球が入賞することを契機として、第三普通当たり判定が行われる。パチンコ機１では、第三普通当たり判定によって当たりと判定される確率（以下、「第三普通当たり確率」という。）は、１００％である。以下、第三普通当たり判定によって当たりと判定されることを「第三普通当たり」ともいう。なお、第三普通当たり確率は、１００％未満の確率であってもよい。本実施形態において、第一非電動役物１７へ入賞した遊技球に対して、第三普通当たり判定を保留して乱数を記憶しておくことのできる数（最大第三保留球数）は「４」である。
【００５７】
第三普通当たり判定が行われると、図柄表示部２４の第三普通図柄表示部に表示される第三普通図柄が変動を開始する。第三普通当たり判定による判定結果が第三普通当たりの場合、第三普通図柄の当たり変動の終了後に、第三電チュー１４が開放される第三普通当たり遊技が実行される。なお、第三電チュー１４は、第三普通当たりを示す第三普通図柄が確定表示された後に開放される。開放された第三電チュー１４に遊技球が入賞すると、入賞した遊技球の個数に応じて、所定数の賞球が払い出される。一旦開放された第三電チュー１４は、所定の開放時間（以下、「第三開放時間」という。）の経過、及び４個の遊技球の入賞のいずれかの条件が満たされると閉鎖される。第三普通当たり遊技が実行されている間には、第三普通図柄は変動しない。
【００５８】
第三電チュー１４は、遊技球を獲得するための入賞口であるとともに、第四普通図柄の作動口でもある。よって、第三電チュー１４へ遊技球が入賞することを契機として、第四普通当たり判定が行われる。第四普通当たり判定によって当たりと判定される確率（以下、「第四普通当たり確率」という。）は、１００％である。いえ、第四普通当たり判定によって当たりと判定されることを「第四普通当たり」ともいう。なお、第四普通当たり確率は、１００％未満の確率であってもよい。本実施形態において、第三電チュー１４へ入賞した遊技球に対して、第四普通当たり判定を保留して乱数を記憶しておくことのできる数（最大第四保留球数）は「４」である。
【００５９】
第四普通当たり判定が行われると、図柄表示部２４の第四普通図柄表示部に表示される第四普通図柄が変動を開始する。第四普通当たり判定による判定結果が第四普通当たりの場合、第四普通図柄の当たり変動の終了後に、第四電チュー１５が開放される第四普通当たり遊技が実行される。なお、第四電チュー１５は、第四普通当たりを示す第四普通図柄が確定表示された後に開放される。開放された第四電チュー１５に遊技球が入賞すると、入賞した遊技球の個数に応じて、所定数の賞球が払い出される。一旦開放された第四電チュー１５は、所定の開放時間（以下、「第四開放時間」という。）の経過、及び７個の遊技球の入賞のいずれかの条件が満たされると閉鎖される。第四普通当たり遊技が実行されている間には、第四普通図柄は変動しない。このように、第一パターンＰ１による第一普通当たり遊技で開始された大当たり遊技においては、第一電チュー１２、第一非電動役物１７、第三電チュー１４及び第四電チュー１５が連動する。
【００６０】
一方、第一普通当たり遊技が第二パターンＰ２で行われた場合、第二位置Ｄ２（図３参照）に配置される振分シャッタ１９５によって、流路１９１を流下する遊技球の大半が第二流路１９１Ｂへ導かれて第二通過領域１９３を通過する。遊技球が第二通過領域１９３を通過することによる第二作動機構の作動により、第二非電動役物１８の開閉部材１８１が開放する。開放した第二非電動役物１８に１個の遊技球が入賞すると、第二閉鎖機構の作動により開閉部材１８１が閉鎖する。
【００６１】
第二非電動役物１８は、遊技球を獲得するための入賞口であるとともに、第二普通図柄の作動口でもある。よって、第二非電動役物１８へ遊技球が入賞することを契機として、第二普通当たり判定が行われる。パチンコ機１では、第二普通当たり判定によって当たりと判定される確率（以下、「第二普通当たり確率」という。）は、１００％である。以下、第二普通当たり判定によって当たりとは判定されることを「第二普通当たり」ともいう。なお、第二普通当たり確率は、１００％未満の確率であってもよい。本実施形態において、第二非電動役物１８へ入賞した遊技球に対して、第二普通当たり判定を保留して乱数を記憶しておくことのできる数（最大第二保留球数）は「４」である。
【００６２】
第二普通当たり判定が行われると、図柄表示部２４の第二普通図柄表示部に表示される第二普通図柄が変動を開始する。第二普通当たり判定による判定結果が第二普通当たりの場合、第二普通図柄の当たり変動の終了後に、第二電チュー１３が開放される第二普通当たり遊技が実行される。なお、第二電チュー１３は、第二普通当たりを示す第二普通図柄が確定表示された後に開放される。開放された第二電チュー１３に遊技球が入賞すると、入賞した遊技球の個数に応じて、所定数の賞球が払い出される。一旦開放された第二電チュー１３は、所定の開放時間（以下、「第二開放時間」という。）の経過、及び４個の遊技球の入賞のいずれかの条件が満たされると閉鎖される。第二普通当たり遊技が実行されている間には、第二普通図柄は変動しない。
【００６３】
第二電チュー１３は、遊技球を獲得するための入賞口であるとともに、第一非電動役物１７とともに、第三普通図柄の作動口でもある。よって、第二電チュー１３へ遊技球が入賞することを契機として第三普通当たり判定が行われる。第二電チュー１３への遊技球の入賞を契機として行われる第三普通当たり判定では、第一非電動役物１７への遊技球の入賞を契機として行われる第三普通当たり判定と同様に、第三普通当たり確率で第三普通当たりと判定される。以降は、第三普通当たり判定によって第三普通当たりと判定された場合には、第三普通図柄が当たり変動をした後、第三電チュー１４が開放される第三普通当たり遊技が行われる。第三普通当たり遊技において開放した第三電チュー１４へ遊技球が入賞することを契機として第四普通当たり判定が行われる。第四普通当たり判定によって第四普通当たりと判定された場合には、第四普通図柄が当たり変動をした後、第四電チュー１５が開放される第四普通当たり遊技が行われる。
【００６４】
このように、第二パターンＰ２による第一普通当たり遊技で開始された大当たり遊技においては、第一電チュー１２、第二非電動役物１８、第二電チュー１３、第三電チュー１４及び第四電チュー１５が連動する。第二パターンＰ２による第一普通当たり遊技を契機として連動する電チュー及び非電動役物の数は、第一パターンＰ１による第一普通当たり遊技を契機として連動する電チュー及び非電動役物の数よりも多くなる。また、詳細は後述するが、第二パターンＰ２による第一普通当たり遊技を契機として開始される大当たり遊技において電チュー及び非電動役物が開放する回数は、第一パターンＰ１による第一普通当たり遊技を契機として開始される大当たり遊技において電チュー及び非電動役物が開放する回数よりも多い。したがって、第二パターンＰ２による第一普通当たり遊技を契機として開始される大当たり遊技によって払い出される賞球の数は、第一パターンＰ１による第一普通当たり遊技を契機として開始される大当たり遊技によって払い出される賞球の数よりも多くなる。すなわち、第二パターンＰ２による第一普通当たり遊技を契機として開始される大当たり遊技は、第一パターンＰ１による第一普通当たり遊技を契機として開始される大当たり遊技よりも遊技者にとって有利である。
【００６５】
パチンコ機１は、複数の普通図柄のそれぞれに、他の普通図柄に対して優先して変動する順位を示す変動優先順位を定める。この場合、大当たり遊技において、変動優先順位に応じた順で普通当たり判定が行われるので、変動優先順に応じた順序で複数の電チューが作動しうる。このため、例えば、普通図柄の作動口として機能する電チューに遊技球が入賞しなかった場合や、電チューへの入賞を契機とした普通当たり判定においてはずれと判定された場合にも、大当たり遊技が間延びし難い。また、パチンコ機１は、変動優先順位を定めた普通図柄については、電チューの開放時間等を勘案した変動時間を設計することなく、設計者の意図する順序で電チューを連動させることができる。したがって、パチンコ機１は、普通図柄の変動時間を電チューの開放時間等を勘案した時間よりも短い任意の時間に設計できる。これにより、普通図柄の変動時間の設計負担が軽減される。
【００６６】
図６を参照して、パチンコ機１の電気的構成について説明する。パチンコ機１の制御部４０は、主基板４１、サブ制御基板５８、ランプドライバ基板４６、演出制御基板４３、払出制御基板４５、中継基板４７、外部端子板５５、電源基板４２及び遊技球発射装置３７を主に備える。
【００６７】
主基板４１は、パチンコ機１の主制御を司る。主基板４１の主基板ＣＰＵユニット５０には、各種の演算処理を行うＣＰＵ５１と、データを一時的に記憶するＲＡＭ５２と、制御プログラム等を記憶したＲＯＭ５３とが設けられている。主基板ＣＰＵユニット５０には、乱数発生回路５６及び割込信号発生回路５７が接続されている。乱数発生回路５６は、所定範囲の乱数を発生させる。割込信号発生回路５７は、一定周波数のクロック信号を出力するクロック回路（図示略）からクロック信号が入力される毎に割込信号を発生させる。主基板４１は、割込信号発生回路５７から割込信号が入力される毎に、後述する主制御プログラムのメイン処理を実行する。
【００６８】
主基板４１は、Ｉ／Ｏインタフェイス５４を介してサブ制御基板５８、払出制御基板４５、中継基板４７、外部端子板５５、ゲートスイッチ６１に接続している。サブ制御基板５８は、ＣＰＵ５８１、ＲＡＭ５８２及びＲＯＭ５８３を備え、ランプドライバ基板４６、演出制御基板４３、操作ボタン９及びスピーカ４８に接続している。サブ制御基板５８は、主基板４１から送信されるコマンドに従って、演出等の総合的な制御を行う。ランプドライバ基板４６は、電飾基板３１に接続している。電飾基板３１は、例えばＬＥＤを搭載しており、前述の各種の電飾部材の内部に設けられている。ランプドライバ基板４６は、サブ制御基板５８から受信するコマンドに従って、電飾基板３１の発光動作等を制御する。演出制御基板４３は、ＣＰＵ４３１等を備え、サブ制御基板５８から送信されるコマンドに従って表示画面２８の表示を制御する。
【００６９】
払出制御基板４５は、ＣＰＵ４５ａ等を備える。払出制御基板４５は、主基板４１から送信されるコマンドに応じて賞球払出装置４９の動作を制御し、所定数の遊技球を賞球として賞球払出装置４９に払い出させる。
【００７０】
中継基板４７は、第一電チューソレノイド６４、第二電チューソレノイド６５、第三電チューソレノイド６６、第四電チューソレノイド６７、振分シャッタソレノイド６９、第一電チュースイッチ７１、第二電チュースイッチ７２、第三電チュースイッチ７３、第四電チュースイッチ７４、第一非電動役物スイッチ７６、第二非電動役物スイッチ７７及び図柄表示部２４に接続している。
【００７１】
第一電チューソレノイド６４は、第一普通当たり遊技中に第一電チュー１２の開閉部材１２１を開閉する。第二電チューソレノイド６５は、第二普通当たり遊技中に第二電チュー１３の開閉部材１３１を開閉する。第三電チューソレノイド６６は、第三普通当たり遊技中に第三電チュー１４の開閉部材１４１を開閉する。第四電チューソレノイド６７は、第四普通当たり遊技中に第四電チュー１５の開閉部材１５１を開閉する。振分シャッタソレノイド６９は、振分シャッタ１９５を第一位置Ｄ１と第二位置Ｄ２とのいずれかの位置に作動する。
【００７２】
第一電チュースイッチ７１は、第一電チュー１２に設けられており、第一電チュー１２への遊技球の入賞を検出する。第二電チュースイッチ７２は、第二電チュー１３に設けられており、第二電チュー１３への遊技球の入賞を検出する。第三電チュースイッチ７３は、第三電チュー１４に設けられており、第三電チュー１４への遊技球の入賞を検出する。第四電チュースイッチ７４は、第四電チュー１５に設けられており、第四電チュー１５への遊技球の入賞を検出する。第一非電動役物スイッチ７６は、第一非電動役物１７に設けられており、第一非電動役物１７への遊技球の入賞を検出する。第二非電動役物スイッチ７７は、第二非電動役物１８に設けられており、第二非電動役物１８への遊技球の入賞を検出する。
【００７３】
外部端子板５５は、パチンコホールに設置されている遊技機を統括的に管理する遊技場管理用コンピュータ（いわゆるホールコンピュータ、図示略）にパチンコ機１の情報を接点出力する。ゲートスイッチ６１は、ゲート１１に設けられており、ゲート１１への遊技球の通過を検出する。
【００７４】
電源基板４２は、主基板４１及び遊技球発射装置３７に接続されており、各基板及び遊技球発射装置３７に直流の安定化した電力を供給する。遊技球発射装置３７は、一定間隔（本実施形態では０．６秒）毎に１個ずつ遊技球を遊技領域４へ発射する。
【００７５】
図７を参照して、ＲＡＭ５２の第一普通当たり関係情報記憶エリアについて説明する。第一普通当たり関係情報記憶エリアは、後述するメイン処理の第一普通図柄処理（図１１及び図１２参照）において使用される。第一普通当たり関係情報記憶エリアには、最大第一保留球数（本実施形態では「４」）に対応する複数の記憶エリアが設けられている。本実施形態では、第一普通当たり関係情報記憶エリアには、Ｎｏ．１からＮｏ．４の４つの記憶エリアが設けられている。ゲート１１を遊技球が通過した際に第一保留球数が４未満（０〜３）であれば、番号の小さい記憶エリアから順に乱数が記憶される。
【００７６】
第一保留球数は、ゲート１１を通過した遊技球に対応する乱数のうち、第一普通当たり判定の実行が保留された状態で記憶されている乱数の個数である。ＣＰＵ５１は、処理がまだ行われていない記憶エリアの乱数のうち、最も番号が小さい記憶エリアに記憶されている乱数を、第一判定エリア（図示略）にシフトする。第一判定エリアは、第一普通当たり判定を行う乱数を格納するために、ＲＡＭ５２に設けられている記憶エリアである。ＣＰＵ５１は、第一判定エリアにシフトされた乱数について第一普通当たり判定等の各種処理を行う。最も番号の小さい記憶エリアに記憶されている乱数が、第一判定エリアにシフトされると、次の番号以下に記憶されている乱数が、１つ小さな番号の記憶エリアにシフトされる。以降は、最も番号の小さい記憶エリアに記憶されている乱数が順次第一判定エリアにシフトされて、第一普通当たり判定等の処理が繰り返される。なお、第一判定エリアの乱数は、第一普通当たり判定等の処理が終了した後に消去される。
【００７７】
各記憶エリアには、第一普通当たり判定カウンタの値が記憶される第一当たり乱数欄、第一普通図柄決定カウンタの当たりが記憶される第一図柄決定乱数欄、及び第一変動パターン決定カウンタの値が記憶される第一変動パターン決定乱数欄が設けられている。遊技球がゲート１１を通過すると、その時点で乱数発生回路５６によって乱数の種類毎に生成されている乱数がハード回路によってラッチされて、各欄に記憶される。第一当たり乱数は、第一普通当たり判定のために用いられる。第一図柄決定乱数は第一普通図柄を決定するために用いられる。第一変動パターン決定乱数は、図柄表示部２４の第一普通図柄表示部に表示される第一普通図柄の変動時間を示す第一変動パターンを決定するために用いられる。第一当たり乱数とともに取得されて第一普通当たり関係情報記憶エリアに記憶されている各種乱数を総称して、第一乱数ともいう。
【００７８】
なお、ＲＡＭ５２には、第二普通当たり関係情報記憶エリア、第三普通当たり関係情報記憶エリア及び第四普通当たり関係情報エリアが設けられている。第二普通当たり関係情報記憶エリア、第三普通当たり関係情報記憶エリア及び第四普通当たり関係情報エリアも、第一普通当たり関係情報記憶エリアと同様に構成されている。第二非電動役物１８に遊技球が入賞すると、その時点で乱数発生回路５６によって乱数の種類毎に生成されている乱数がハード回路によってラッチされて、第二普通当たり関係情報記憶エリアの各欄に記憶される。第一非電動役物１７又は第二電チュー１３に遊技球が入賞すると、その時点で乱数発生回路５６によって乱数の種類毎に生成されている乱数がハード回路によってラッチされて、第三普通当たり関係情報記憶エリアの各欄に記憶される。第三電チュー１４に遊技球が入賞すると、その時点で乱数発生回路５６によって乱数の種類毎に生成されている乱数がハード回路によってラッチされて、第四普通当たり関係情報記憶エリアの各欄に記憶される。
【００７９】
本実施形態では、第二〜第四普通図柄の変動時間は、それぞれ一定の時間（２．０秒間）に定められている。このような場合には、第二〜第四普通当たり関係情報記憶エリアに、第二〜第四変動パターン決定乱数欄が設けられなくてもよい。第二当たり乱数、第三当たり乱数、第四当たり乱数とともに取得されて第二普通当たり関係情報記憶エリア、第三普通当たり関係情報記憶エリア、第四普通当たり関係情報記憶エリアに記憶されている各種乱数を総称して、それぞれ第二乱数、第三乱数、第四乱数ともいう。
【００８０】
図８を参照して、ＲＯＭ５３に記憶されている第一普通図柄決定テーブルについて説明する。パチンコ機１は、第一普通当たり判定の結果が当たりであることを示す第一普通図柄を、第一普通図柄決定テーブルを参照することで決定する。本実施形態では、第一普通図柄は、「第一普通当たりＡ」及び「第一普通当たりＢ」の、２種類の普通当たり種別を含む。普通当たり種別は、普通当たり判定の結果が当たりであること示す普通図柄の種別である。
【００８１】
第一普通図柄決定テーブルでは、普通当たり種別のそれぞれに、第一図柄決定乱数の値（０〜９９）が対応付けられている。第一普通図柄の普通当たり種別の割合は、第一図柄決定乱数の値に応じて定められている。普通当たり種別の割合は、「第一普通当たりＡ」が３３％、「第一普通当たりＢ」が６７％である。
【００８２】
第一普通図柄決定テーブルは、第一普通当たり遊技における電チュー開放パターンをいずれにするかを、普通当たり種別に応じて定義している。「第一普通当たりＡ」の普通当たり種別には、第一パターンＰ１が関連付けられている。「第一普通当たりＢ」の普通当たり種別には、第二パターンＰ２が関連付けられている。したがって、第一普通当たり判定によって当たりであると判定された場合に、「第一普通当たりＡ」の普通当たり種別が決定されたときには、第一普通当たり遊技が第一パターンＰ１で実行される。第一普通当たり判定によって当たりであると判定された場合に、「第一普通当たりＢ」の普通当たり種別が決定されたときには、第一普通当たり遊技が第二パターンＰ２で実行される。したがって、第一普通当たり判定によって当たりであると判定された場合、３３％の割合で第一パターンＰ１による第一普通当たり遊技が、６７％の割合で第二パターンＰ２による第一普通当たり遊技が、それぞれ実行される。なお、「第一普通当たりＡ」及び「第一普通当たりＢ」の割合は、任意に変更できる。
【００８３】
図示しないが、ＲＯＭ５３には、第二〜第四普通図柄決定テーブルが記憶されている。パチンコ機１は、第二〜第四普通当たり判定の結果が当たりであることを示す第二〜第四普通図柄を、第二〜第四普通図柄決定テーブルを参照することで決定する。なお、パチンコ機１は、第二〜第四普通図柄について、第二〜第四普通図柄決定テーブルによらずに、所定の当たり図柄又ははずれ図柄を決定してもよい。
【００８４】
図９を参照して、ＲＯＭ５３に記憶されている第一変動パターン決定テーブルについて説明する。第一変動パターン決定テーブルは、第一普通当たり判定による判定結果（第一普通当たり又ははずれ）に応じて、複数のテーブルを設けている。それぞれのテーブルには、第一変動パターン毎に第一変動パターン決定乱数の値（０〜５１１）、及び第一普通図柄の変動時間（報知演出の変動時間）が対応付けられている。第一普通当たり判定が行われると、判定結果に応じたテーブルが参照され、第一当たり乱数とともに取得されている第一変動パターン決定乱数の値に対応する変動パターンが１つ決定される。
【００８５】
第一普通当たり判定による判定結果が第一普通当たりである場合には、「ノーマルリーチ」、「リーチ演出Ａ」、「リーチ演出Ｂ」、「リーチ演出Ｃ」、「リーチ演出Ｄ」、「リーチ演出Ｅ」の順に、変動パターンが決定される割合が高くなる。一方、第一普通当たり判定による判定結果がはずれである場合には、「ノーマルリーチ」、「リーチ演出Ａ」、「リーチ演出Ｂ」、「リーチ演出Ｃ」、「リーチ演出Ｄ」、「リーチ演出Ｅ」の順に、変動パターンが決定される割合が低くなる。したがって、第一普通当たり判定による判定結果が第一普通当たりとなる期待値は、「ノーマルリーチ」、「リーチ演出Ａ」、「リーチ演出Ｂ」、「リーチ演出Ｃ」、「リーチ演出Ｄ」、「リーチ演出Ｅ」の順に高くなる。なお、リーチ演出とは、演出図柄が所定のリーチ状態を構成した後に、判定結果が第一普通当たりである可能性のあることを示す演出を実行する報知演出である。本実施形態において、「非リーチ」の第一変動パターンは、リーチ状態に至ることなく、演出図柄がはずれの判定結果を示す組合せで確定表示されて演出が終了する報知演出に対応している。本実施形態では、「非リーチ」の変動パターンは、第一普通当たり判定による判定結果がはずれである場合にのみ決定される。
【００８６】
主基板４１は、決定された変動パターンを指定するコマンドである変動パターン指定コマンドを生成し、生成された変動パターン指定コマンドをサブ制御基板５８へ送信する。サブ制御基板５８は、コマンドによって指定された変動パターンに応じて表示画面２８及びスピーカ４８等を制御することで、報知演出を実行する。なお、報知演出に、演出図柄が用いられなくてもよい。また、主基板４１は、決定した変動パターンに応じて決められている変動時間だけ、第一普通図柄を変動させる。
【００８７】
図１０から図１９を参照して、パチンコ機１の主基板４１による動作について説明する。パチンコ機１の主制御は、ＲＯＭ５３に記憶されている制御プログラムによって行われる。制御プログラムのメイン処理（図１０参照）は、割込信号発生回路５７（図６参照）が４ｍｓ毎に発生する割込信号をＣＰＵ５１が検知した際に、ＣＰＵ５１において実行される。以下、フローチャートの各ステップについて「Ｓ」と略記する。
【００８８】
図１０に示すように、メイン処理が開始されると、まず、コマンド出力処理が行われる（Ｓ１０）。コマンド出力処理では、制御コマンドが、サブ制御基板５８、払出制御基板４５、中継基板４７等に出力される。ここで出力される制御コマンドは、前回実施されたメイン処理においてＲＡＭ５２に記憶された制御コマンドである。
【００８９】
次いで、スイッチ読込処理が行われる（Ｓ１１）。スイッチ読込処理では、ゲート１１、第一電チュー１２、第二電チュー１３、第三電チュー１４、第四電チュー１５、第一非電動役物１７、第二非電動役物１８に設けられた各スイッチ（図６参照）の検出結果から、遊技球の通過又は入賞を検知するための処理が行われる。各スイッチが遊技球の通過を検出すると、各スイッチに対応するフラグが「ＯＮ」となる。
【００９０】
次いで、カウンタ更新処理が行われる（Ｓ１２）。カウンタ更新処理では、ＲＡＭ５２に記憶されている乱数取得カウンタの値が加算され、且つ、第一〜第四普通図柄の変動時間を計測するためのタイマカウンタである第一〜第四普通図柄変動時間カウンタの値が減算される。なお、本実施形態では、第一〜第四普通図柄のそれぞれについて、他の普通図柄に対する変動優先順位が設けられている。このため、普通図柄は変動優先順位に基づく順に変動し、複数の普通図柄が同時に変動することはない。すなわち、複数の普通図柄の変動時間の計測が同時に行われることはない。
【００９１】
次いで、第一普通電動役物処理が行われる（Ｓ１３）。詳細は後述するが、第一普通電動役物処理では、第一普通当たりを示す第一普通図柄が図柄表示部２４に表示された場合に、第一普通当たり遊技の動作（主に第一電チュー１２の開閉部材１２１の開閉動作）を制御するための処理が行われる（図１３参照）。
【００９２】
次いで、第一普通図柄処理が行われる（Ｓ１４）。詳細は後述するが、第一普通図柄処理では、第一普通当たり判定、第一変動パターンの決定等の処理が行われる（図１１及び図１２参照）。
【００９３】
次いで、第二普通電動役物処理が行われる（Ｓ１５）。詳細は後述するが、第二普通電動役物処理では、第二普通当たりを示す第二普通図柄が図柄表示部２４に表示された場合に、第二普通当たり遊技の動作（主に第二電チュー１３の開閉部材１３１の開閉動作）を制御するための処理が行われる（図１５参照）。
【００９４】
次いで、第二普通図柄処理が行われる（Ｓ１６）。詳細は後述するが、第二普通図柄処理では、第二普通当たり判定等の処理が行われる（図１４参照）。
【００９５】
次いで、第三普通電動役物処理が行われる（Ｓ１７）。詳細は後述するが、第三普通電動役物処理では、第三普通当たりを示す第三普通図柄が図柄表示部２４に表示された場合に、第三普通当たり遊技の動作（主に第三電チュー１４の開閉部材１４１の開閉動作）を制御するための処理が行われる（図１７参照）。
【００９６】
次いで、第三普通図柄処理が行われる（Ｓ１８）。詳細は後述するが、第三普通図柄処理では、第三普通当たり判定等の処理が行われる（図１６参照）。
【００９７】
次いで、第四普通電動役物処理が行われる（Ｓ１９）。詳細は後述するが、第四普通電動役物処理では、第四普通当たりを示す第四普通図柄が図柄表示部２４に表示された場合に、第四普通当たり遊技の動作（主に第四電チュー１５の開閉部材１５１の開閉動作）を制御するための処理が行われる（図１９参照）。
【００９８】
次いで、第四普通図柄処理が行われる（Ｓ２０）。詳細は後述するが、第四普通図柄処理では、第四普通当たり判定等の処理が行われる（図１８参照）。
【００９９】
次いで、払出処理（Ｓ２１）、エラーチェック（Ｓ２２）、及び情報出力処理（Ｓ２３）が行われる。払出処理では、スイッチ読込処理によって各スイッチに対応するフラグが「ＯＮ」とされた場合に、各スイッチに対応する入賞口へ遊技球が入賞したことを示すコマンドが、払出制御基板４５に送信される。このコマンドを受信した払出制御基板４５のＣＰＵ４５ａは、コマンドに対応する入賞口について予め定められている個数の賞球を、入賞口への入賞球数に応じて賞球払出装置４９に払い出させる。エラーチェックでは、エラーが発生している場合に、表示画面２８及びスピーカ４８等を用いてエラーが報知される。情報出力処理では、遊技場管理用コンピュータ（図示略）に各種の情報が出力される。
【０１００】
メイン処理で使用されるフラグについて説明する。ＲＡＭ５２には大当たり遊技状態フラグ、第一普通当たり遊技中フラグ、第二普通当たり遊技中フラグ、第三普通当たり遊技中フラグ、第四普通当たり遊技中フラグ、第一変動フラグ、第二変動フラグ、第三変動フラグ、第四変動フラグ、第一開放フラグ、第二開放フラグ、第三開放フラグ、第四開放フラグ等が記憶されている。大当たり遊技状態フラグは、大当たり遊技中に「１」が記憶されて「ＯＮ」となり、大当たり遊技中でない場合に「０」が記憶されて「ＯＦＦ」となる。第一普通当たり遊技中フラグは、第一普通当たり判定において第一普通当たりと判定された後に「１」が記憶されて「ＯＮ」となり、第一普通当たり遊技が終了した後に「０」が記憶されて「ＯＦＦ」となる。第二普通当たり遊技中フラグは、第二普通当たり判定において第二普通当たりと判定された後に「１」が記憶されて「ＯＮ」となり、第二普通当たり遊技が終了した後に「０」が記憶されて「ＯＦＦ」となる。第三普通当たり遊技中フラグは、第三普通当たり判定において第三普通当たりと判定された後に「１」が記憶されて「ＯＮ」となり、第三普通当たり遊技が終了した後に「０」が記憶されて「ＯＦＦ」となる。第四普通当たり遊技中フラグは、第四普通当たり判定において第四普通当たりと判定された後に「１」が記憶されて「ＯＮ」となり、第四普通当たり遊技が終了した後に「０」が記憶されて「ＯＦＦ」となる。
【０１０１】
第一変動フラグは、第一普通図柄が変動している場合（変動中）に「１」が記憶されて「ＯＮ」となり、第一普通図柄が変動中でない場合には、「０」が記憶されて「ＯＦＦ」となる。第二変動フラグは、第二普通図柄の変動中に「１」が記憶されて「ＯＮ」となり、第二普通図柄が変動中でない場合に「０」が記憶されて「ＯＦＦ」となる。第三変動フラグは、第三普通図柄の変動中に「１」が記憶されて「ＯＮ」となり、第三普通図柄が変動中でない場合に「０」が記憶されて「ＯＦＦ」となる。第四変動フラグは、第四普通図柄の変動中に「１」が記憶されて「ＯＮ」となり、第四普通図柄が変動中でない場合に「０」が記憶されて「ＯＦＦ」となる。
【０１０２】
第一開放フラグは、第一電チュー１２の開放中に「１」が記憶されて「ＯＮ」となり、第一電チュー１２の閉鎖中に「０」が記憶されて「ＯＦＦ」となる。第二開放フラグは、第二電チュー１３の開放中に「１」が記憶されて「ＯＮ」となり、第二電チュー１３の閉鎖中に「０」が記憶されて「ＯＦＦ」となる。第三開放フラグは、第三電チュー１４の開放中に「１」が記憶されて「ＯＮ」となり、第三電チュー１４の閉鎖中に「０」が記憶されて「ＯＦＦ」となる。第四開放フラグは、第四電チュー１５の開放中に「１」が記憶されて「ＯＮ」となり、第四電チュー１５の閉鎖中に「０」が記憶されて「ＯＦＦ」となる。
【０１０３】
図１１及び図１２を参照して、第一普通図柄処理（Ｓ１４、図１０参照）の詳細について説明する。図１１に示すように、第一普通図柄処理が開始されると、ゲート１１を遊技球が通過したかが判断される（Ｓ３１）。ゲート１１に設けられたゲートスイッチ６１が遊技球の通過を検出すると、メイン処理のスイッチ読込処理（Ｓ１１、図１０参照）において、ゲートスイッチ６１に対応するフラグが「ＯＮ」となる。このフラグが「ＯＮ」でない場合には、ゲート１１を遊技球が通過していないと判断されて（Ｓ３１：ＮＯ）、処理はＳ４１の判断へ移行する。フラグが「ＯＮ」となっている場合、ゲートスイッチ６１を遊技球が通過したと判断されて（Ｓ３１：ＹＥＳ）、第一保留球数が「４」であるかが判断される（Ｓ３２）。第一保留球数が「４」であれば（Ｓ３２：ＹＥＳ）、第一保留球数が最大第一保留球数に達しているため、処理はＳ４１（図１２参照）の判断へ移行する。
【０１０４】
第一保留球数が「４」でない場合には（Ｓ３２：ＮＯ）、ＲＡＭ５２に記憶されている第一保留球数に「１」が加算される（Ｓ３３）。次いで、第一当たり乱数及び第一変動パターン決定乱数が第一保留乱数として取得され、第一普通当たり関係情報記憶エリア（図７参照）における空の記憶エリアのうち、番号が最も小さい記憶エリアに記憶される（Ｓ３５）。具体的には、第一当たり乱数欄には第一普通当たり判定カウンタの値が、第一変動パターン決定乱数欄には第一変動パターン決定カウンタの値がそれぞれ格納される。第一保留乱数として、第一普通図柄を決定するために用いられる第一普通図柄決定乱数等、その他の種類の乱数が含まれてもよい。処理はＳ４１の判断へ移行する。
【０１０５】
次いで、図１２に示すように、全ての電チューが非作動中であるかが判断される（Ｓ４１）。第一〜第四普通当たり遊技中フラグのうちいずれかが「ＯＮ」であれば、いずれかの電チューが作動中であると判断されて（Ｓ４１：ＮＯ）、処理はメイン処理へ戻る。パチンコ機１は、いずれかの電チューが作動中の場合には、第一普通当たり判定の実行を保留することで、第一普通当たり遊技が他の普通当たり遊技に重複して行われないようにしている。
【０１０６】
第一〜第四普通当たり遊技中フラグのいずれもが「ＯＦＦ」であれば、全ての電チューが非作動中であると判断されて（Ｓ４１：ＹＥＳ）、第一普通図柄が変動中であるかが判断される（Ｓ４２）。第一変動フラグが「ＯＦＦ」であれば、第一普通図柄が変動中でないと判断されて（Ｓ４２：ＮＯ）、ＲＡＭ５２に記憶されている第四保留球数が「１」以上であるかが判断される（Ｓ４３）。第四保留球数が「１」以上である場合（Ｓ４３：ＹＥＳ）、処理はメイン処理へ戻る。
【０１０７】
一方、第四保留球数が「０」である場合（Ｓ４３：ＮＯ）、ＲＡＭ５２に記憶されている第三保留球数が「１」以上であるかが判断される（Ｓ４５）。第三保留球数が「１」以上である場合（Ｓ４５：ＹＥＳ）、処理はメイン処理へ戻る。第三保留球数が「０」である場合（Ｓ４５：ＮＯ）、ＲＡＭ５２に記憶されている第二保留球数が「１」以上であるかが判断される（Ｓ４６）。第二保留球数が「１」以上である場合（Ｓ４６：ＹＥＳ）、処理はメイン処理へ戻る。一方、第二保留球数が「０」である場合（Ｓ４６：ＮＯ）、ＲＡＭ５２に記憶されている第一保留球数が「１」以上であるかが判断される（Ｓ４９）。第一保留球数が「０」である場合（Ｓ４９：ＮＯ）、処理はメイン処理へ戻る。
【０１０８】
一方、第一保留球数が「１」以上である場合（Ｓ４９：ＹＥＳ）、ＲＡＭ５２に記憶されている第一保留球数が「１」減算される（Ｓ５１）。第一普通当たり関係情報記憶エリア（図７参照）において最も番号の小さい記憶エリアに記憶されている第一乱数が、第一判定エリアにシフトされる（Ｓ５２）。
【０１０９】
次いで、第一普通当たり判定が行われる（Ｓ５３）。第一普通当たり判定テーブルは、ＲＯＭ５３に記憶されている。第一普通当たり判定テーブルには、「第一普通当たり」及び「はずれ」に各々対応する第一当たり乱数の乱数値が定義されている。第一普通当たり判定テーブルが参照されて、Ｓ５２で第一判定エリアにシフトされた第一当たり乱数が「第一普通当たり」及び「はずれ」のいずれに対応するかが判定される。このようにして、第二保留球数、第三保留球数及び第四保留球数の少なくともいずれかが「１」以上である場合には、第一普通当たり判定が行われない。第二保留球数、第三保留球数及び第四保留球数のいずれもが「０」である場合に、ＲＡＭ５２に記憶された未判定の第一当たり乱数に基づく第一普通当たり判定が、第一当たり乱数の記憶された順に行われる。なお、本実施形態では、第一普通当たり判定において、第一普通当たり確率（約１／６０）で第一普通当たりと判定される。
【０１１０】
次いで、Ｓ５３で行った第一普通当たり判定の結果が第一普通当たりであるかが判断される（Ｓ５５）。第一普通当たり判定の結果がはずれの場合（Ｓ５５：ＮＯ）、処理はＳ５７へ移行する。第一普通当たり判定の結果が第一普通当たりの場合（Ｓ５５：ＹＥＳ）、第一普通図柄の第一普通当たり種別が決定される（Ｓ５６）。Ｓ５６の処理では、第一普通図柄決定テーブル（図８参照）が参照されて、判定エリアにシフトされた第一当たり乱数と同時に取得された第一図柄決定乱数の値に対応する第一普通当たり種別が決定される。決定された第一普通当たり種別は、ＲＡＭ５２に記憶される。処理はＳ５７へ移行する。
【０１１１】
次いで、第一変動パターン決定テーブル（図９参照）が参照されて、第一普通当たり判定の判定結果に応じた第一変動パターンの一つが、第一変動パターン決定乱数の値によって決定される。決定された第一変動パターンを指定するための第一変動パターン指定コマンドが生成される（Ｓ５７）。生成された第一変動パターン指定コマンドは、ＲＡＭ５２に記憶される。記憶された第一変動パターン指定コマンドは、次回に実行されるメイン処理のコマンド出力処理（Ｓ１０、図１０参照）によってサブ制御基板５８及び中継基板４７に送信され、報知演出の開始及び第一普通図柄の変動開始を指示する。決定された第一変動パターンに応じて定められている第一普通図柄の変動時間が、第一普通図柄変動時間カウンタに記憶される（Ｓ５８）。第一普通図柄変動時間カウンタの値は、カウンタ更新処理（Ｓ１２、図１０参照）において順次減算される。第一普通図柄が変動中であることを示す「１」が第一変動フラグに記憶されて「ＯＮ」となり（Ｓ５９）、処理はメイン処理へ戻る。
【０１１２】
このように、第二保留球数、第三保留球数及び第四保留球数の少なくともいずれかが「１」以上である限り、第一保留球数が「１」以上であっても第一普通図柄は変動しない。第二保留球数、第三保留球数及び第四保留球数のいずれもが「０」である場合に、第一保留球数が「１」以上であるときに、第一普通図柄が変動する。すなわち、第一普通図柄の変動優先順位は、第二普通図柄、第三普通図柄及び第四普通図柄の変動優先順位よりも低く、パチンコ機１の普通図柄のうち最も低い。
【０１１３】
一方、Ｓ４２の判断において、第一変動フラグが「ＯＮ」であれば、第一普通図柄が変動中であると判断されて（Ｓ４２：ＹＥＳ）、第一普通図柄変動時間カウンタの値に基づいて、第一普通図柄の変動時間が経過したかが判断される（Ｓ６１）。第一普通図柄変動時間カウンタの値が「０」でなければ、第一普通図柄の変動時間がまだ経過していないと判断されて（Ｓ６１：ＮＯ）、第一普通図柄の変動が継続され、処理はメイン処理へ戻る。
【０１１４】
第一普通図柄変動時間カウンタの値が「０」となっていれば、第一普通図柄の変動時間が経過したと判断されて（Ｓ６１：ＹＥＳ）、第一普通図柄停止コマンドが生成され（Ｓ６２）、ＲＡＭ５２に記憶される。記憶された第一普通図柄停止コマンドは、コマンド出力処理（Ｓ１０、図１０参照）によってサブ制御基板５８に、また、中継基板４７を介して図柄表示部２４に送信され、報知演出の終了及び第一普通図柄の変動停止を指示する。第一普通図柄停止コマンドを受信した図柄表示部２４は、第一普通図柄の変動を停止する。第一普通図柄が変動中でないことを示す「０」が第一変動フラグに記憶され「ＯＦＦ」となる（Ｓ６３）。
【０１１５】
次いで、Ｓ５３で行った第一普通当たり判定の結果が第一普通当たりであるかが判断される（Ｓ６５）。第一普通当たり判定の結果がはずれの場合（Ｓ６５：ＮＯ）、処理はメイン処理へ戻る。第一普通当たり判定の結果が第一普通当たりの場合（Ｓ６５：ＹＥＳ）、第一普通当たり遊技の開始に伴い大当たり遊技が開始されるので、大当たり遊技状態フラグが「ＯＮ」になる（Ｓ６８）。また、第一普通当たり遊技中フラグが「ＯＮ」になり（Ｓ６９）、処理はメイン処理へ戻る。
【０１１６】
図１３を参照して、第一普通電動役物処理（Ｓ１３、図１３参照）の詳細について説明する。第一普通電動役物処理が開始されると、第一普通当たり遊技中であるかが判断される（Ｓ７１）。第一普通当たり遊技中フラグが「ＯＦＦ」である場合、第一普通当たり遊技中でないと判断されて（Ｓ７１：ＮＯ）、処理はメイン処理へ戻る。
【０１１７】
第一普通当たり遊技中フラグが「ＯＮ」である場合、第一普通当たり遊技中であると判断されて（Ｓ７１：ＹＥＳ）、第一普通当たり遊技に関する制御が行われる。まず、第一電チュー１２が開放中であるかが判断される（Ｓ７３）。第一開放フラグが「ＯＦＦ」である場合、第一電チュー１２が開放中でない（閉鎖中である）と判断されて（Ｓ７２：ＮＯ）、Ｓ５６（図１２参照）の処理でＲＡＭ５２に記憶された第一普通当たり種別が参照される（Ｓ９１）。参照された第一普通当たり種別が「第一普通当たりＡ」であるかが判断される（Ｓ９２）。
【０１１８】
参照された第一普通当たり種別が「第一普通当たりＡ」である場合（Ｓ９２：ＹＥＳ）、Ｐ１開放コマンドが生成される（Ｓ９３）。生成されたＰ１開放コマンドはＲＡＭ５２に記憶される。Ｐ１開放コマンドは、第一電チュー１２の開閉部材１２１を、図５に示す第一パターンＰ１で開閉動作させるためのコマンドである。Ｐ１開放コマンドは、次回実行されるメイン処理のコマンド出力処理（Ｓ１０、図１０参照）において、中継基板４７に送信される。中継基板４７を介してＰ１開放コマンドを受信した第一電チューソレノイド６４は、第一電チュー１２の開閉部材１２１を第一パターンＰ１で開閉動作させる。処理はＳ９６へ移行する。
【０１１９】
参照された第一普通当たり種別が「第一普通当たりＢ」である場合（Ｓ９２：ＮＯ）、Ｐ２開放コマンドが生成される（Ｓ９５）。生成されたＰ２開放コマンドはＲＡＭ５２に記憶される。Ｐ２開放コマンドは、第一電チュー１２の開閉部材１２１を、図５に示す第二パターンＰ２で開閉動作させるためのコマンドである。Ｐ２開放コマンドは、次回実行されるメイン処理のコマンド出力処理（Ｓ１０、図１０参照）において、中継基板４７に送信される。中継基板４７を介してＰ２開放コマンドを受信した第一電チューソレノイド６４は、第一電チュー１２の開閉部材１２１を第二パターンＰ２で開閉動作させる。処理はＳ９６へ移行する。
【０１２０】
次いで、第一普通当たり種別に応じた電チュー開放パターンが、ＲＡＭ５２に記憶される（Ｓ９６）。第一普通当たり種別が「第一普通当たりＡ」である場合には、第一パターンＰ１に対応する第一電チュー１２の１回あたりの開放時間（０．２５０秒）及び開放回数（５回）が記憶される。第一普通当たり種別が「第一普通当たりＢ」である場合には、第二パターンＰ２に対応する第一電チュー１２の開放時間（初回０．０４０秒、その他０．２５０秒）及び開放回数（初回１回、後半に５回）が記憶される。
【０１２１】
次いで、第一開放フラグが「ＯＮ」になる（Ｓ９８）。振分シャッタ作動コマンドが生成され（Ｓ９９）、ＲＡＭ５２に記憶される。振分シャッタ作動コマンドは、振分シャッタ１９５を、図５に示す振分シャッタ動作パターンで動作させるためのコマンドである。振分シャッタ作動コマンドは、次回実行されるメイン処理のコマンド出力処理（Ｓ１０、図１０参照）において、中継基板４７に送信される。中継基板４７を介して振分シャッタ作動コマンドを受信した振分シャッタソレノイド６９は、振分シャッタ１９５を振分シャッタ動作パターンで動作させる。処理はメイン処理へ戻る。
【０１２２】
一方、第一開放フラグが「ＯＮ」である場合、第一電チュー１２が開放中であると判断されて（Ｓ７３：ＹＥＳ）、第一電チュー１２へ入賞した遊技球の処理、及び第一電チュー１２を閉鎖するための処理が行われる。まず、Ｓ９６で記憶された電チュー開放パターンでの第一電チュー１２の開放が終了したかが判断される（Ｓ７３）。第一普通当たり種別に応じた電チュー開放パターンでの第一電チュー１２の開放が終了していない場合（Ｓ７３：ＮＯ）、第一電チュー１２へ遊技球が入賞したかが判断される（Ｓ７５）。第一電チュースイッチ７１に対応するフラグが「ＯＦＦ」となっている場合には、第一電チュー１２へ遊技球が入賞していないと判断されて（Ｓ７５：ＮＯ）、処理はＳ７８の判断へ移行する。
【０１２３】
一方、第一電チュースイッチ７１に対応するフラグが「ＯＮ」となっている場合、第一電チュー１２へ遊技球が入賞したと判断される（Ｓ７５：ＹＥＳ）。このため、第一電チュー１２へ入賞した遊技球の個数である第一入賞球数を計数するＲＡＭ５２の第一入賞球数カウンタに「１」が加算される（Ｓ７６）。次いで、第一入賞球数が「８」以上であるかが判断される（Ｓ７８）。第一入賞球数が「８」未満であれば（Ｓ７８：ＮＯ）、継続して第一電チュー１２が開放されるので、処理はメイン処理へ戻る。
【０１２４】
第一入賞球数が「８」以上の場合（Ｓ７８：ＹＥＳ）、又はＳ９６で記憶された電チュー開放パターンでの第一電チュー１２の開放が終了している場合（Ｓ７３：ＹＥＳ）、第一電チュー１２を閉鎖するための第一電チュー閉鎖コマンドが生成される（Ｓ８１）。生成された第一電チュー閉鎖コマンドはＲＡＭ５２に記憶され、次回実行されるメイン処理のコマンド出力処理（Ｓ１０、図１０参照）において、中継基板４７に送信される。中継基板４７を介して第一電チュー開放コマンドを受信した第一電チューソレノイド６４は、第一電チュー１２の開閉部材１２１を閉鎖させる。次いで、第一開放フラグに「０」が記憶されて「ＯＦＦ」となり（Ｓ８２）、第一普通当たり遊技中フラグに「０」が記憶されて「ＯＦＦ」となる（Ｓ８３）。処理はメイン処理へ戻る。
【０１２５】
図１４を参照して、第二普通図柄処理（Ｓ１６、図１０参照）の詳細について説明する。第二普通図柄処理が開始されると、第二非電動役物１８に遊技球が入賞したかが判断される（Ｓ１０１）。第二非電動役物スイッチ７７に対応するフラグが「ＯＦＦ」となっている場合には、第二非電動役物１８へ遊技球が入賞していないと判断されて（Ｓ１０１：ＮＯ）、処理はＳ１１１の判断へ移行する。第二非電動役物スイッチ７７に対応するフラグが「ＯＮ」となっている場合には、第二非電動役物１８へ遊技球が入賞していると判断されて（Ｓ１０１：ＹＥＳ）、第二保留球数が「４」であるかが判断される（Ｓ１０３）。第二保留球数が「４」であれば（Ｓ１０３：ＹＥＳ）、第二保留球数が最大第二保留球数に達しているため、処理はＳ１１１の判断へ移行する。
【０１２６】
第二保留球数が「４」でない場合には（Ｓ１０３：ＮＯ）、ＲＡＭ５２に記憶されている第二保留球数に「１」が加算される（Ｓ１０６）。次いで、第二乱数が取得され、第二普通当たり関係情報エリアにおける空の記憶エリアのうち、番号が最も小さい記憶エリアに記憶される（Ｓ１０７）。処理はＳ１１１の判断へ移行する。
【０１２７】
次いで、全ての電チューが非作動中であるかが判断される（Ｓ１１１）。第一〜第四普通当たり遊技中フラグのうち少なくともいずれかが「ＯＮ」であれば、いずれかの電チューが作動中であると判断されて（Ｓ１１１：ＮＯ）、処理はメイン処理へ戻る。パチンコ機１は、いずれかの電チューが作動中の場合には、第二普通当たり判定の実行を保留することで、第二普通当たり遊技が他の普通当たり遊技に重複して行われないようにしている。
【０１２８】
第一〜第四普通当たり遊技中フラグのいずれもが「ＯＦＦ」であれば、全ての電チューが非作動中であると判断されて（Ｓ１１１：ＹＥＳ）、第二普通図柄が変動中であるかが判断される（Ｓ１１２）。第二変動フラグが「ＯＦＦ」であれば、第二普通図柄が変動中でないと判断されて（Ｓ１１２：ＮＯ）、ＲＡＭ５２に記憶されている第四保留球数が「１」以上であるかが判断される（Ｓ１１３）。第四保留球数が「１」以上である場合（Ｓ１１３：ＹＥＳ）、処理はメイン処理へ戻る。
【０１２９】
一方、第四保留球数が「０」である場合（Ｓ１１３：ＮＯ）、ＲＡＭ５２に記憶されている第三保留球数が「１」以上であるかが判断される（Ｓ１１５）。第三保留球数が「１」以上である場合（Ｓ１１５：ＹＥＳ）、処理はメイン処理へ戻る。第三保留球数が「０」である場合（Ｓ１１５：ＮＯ）、ＲＡＭ５２に記憶されている第二保留球数が「１」以上であるかが判断される（Ｓ１１９）。第二保留球数が「０」である場合（Ｓ１１９：ＮＯ）、処理はメイン処理へ戻る。
【０１３０】
第二保留球数が「１」以上である場合（Ｓ１１９：ＹＥＳ）、ＲＡＭ５２に記憶されている第二保留球数が「１」減算される（Ｓ１２１）。第二普通当たり関係情報記憶エリアにおいて最も番号の小さい記憶エリアに記憶されている第二乱数が、第二普通当たり判定を行う乱数を格納するためにＲＡＭ５２に設けられている第二判定エリアにシフトされる（Ｓ１２２）。
【０１３１】
次いで、第二普通当たり判定が行われる（Ｓ１２３）。第二普通当たり判定は、第二普通当たり判定テーブルが参照されることで行われる。第二普通当たり判定テーブルは、ＲＯＭ５３に記憶されている。第二普通当たり判定テーブルには、「第二普通当たり」及び「はずれ」に各々対応する第二当たり乱数の乱数値が定義されている。第二普通当たり判定テーブルが参照されて、Ｓ１２２で第二判定エリアにシフトされた第二当たり乱数が「第二普通当たり」及び「はずれ」のいずれに対応するかが判定される。これにより、ＲＡＭ５２に記憶された未判定の第二当たり乱数に基づく第二普通当たり判定が、第二当たり乱数の記憶された順に行われる。なお、本実施形態では、第二普通当たり判定において、第二普通当たり確率（１００％）で第二普通当たりと判定される。
【０１３２】
次いで、第二普通図柄の変動を開始させるための第二普通図柄変動開始コマンドが生成され（Ｓ１２５）、ＲＡＭ５２に記憶される。第二普通図柄変動開始コマンドは、次回に実行されるメイン処理のコマンド出力処理（Ｓ１０、図１０参照）によって、中継基板４７を介して、図柄表示部２４に送信される。図柄表示部２４は、第二普通図柄の変動を開始する。次いで、予め定められている第二普通図柄の変動時間（本実施形態では、２秒）が、第二普通図柄変動時間カウンタに記憶される（Ｓ１２６）。第二普通図柄が変動中であることを示す「１」が第二変動フラグに記憶されて「ＯＮ」となり（Ｓ１２８）、処理はメイン処理へ戻る。
【０１３３】
このように、第三保留球数及び第四保留球数の少なくともいずれかが「１」以上である限り、第二保留球数が「１」以上であっても第二普通図柄は変動しない。第三保留球数及び第四保留球数のいずれもが「０」である場合において、第二保留球数が「１」以上であるときに第二普通図柄が変動する。すなわち、第二普通図柄の変動優先順位は、第三普通図柄及び第四普通図柄よりも低い。前述したように、第一普通図柄の変動優先順位は、第二普通図柄、第三普通図柄、第三普通図柄及び第四普通図柄よりも低く、パチンコ機１の普通図柄のうち最も低い。よって、第一普通図柄と第二普通図柄との間では、第二普通図柄の変動優先順位が第一普通図柄の変動優先順位よりも高くなる。この第一普通図柄と第二普通図柄との間の変動優先順位の関係を、以下では、「第二普通図柄＞第一普通図柄」と表すこととする。
【０１３４】
一方、Ｓ１１２の判断において、第二変動フラグが「ＯＮ」であれば、第二普通図柄が変動中であると判断されて（Ｓ１１２：ＹＥＳ）、第二普通図柄変動時間カウンタの値に基づいて、第二普通図柄の変動時間が経過したかが判断される（Ｓ１３１）。第二普通図柄変動時間カウンタの値が「０」でなければ、第二普通図柄の変動時間がまだ経過していないと判断されて（Ｓ１３１：ＮＯ）、第二普通図柄の変動が継続され、処理はメイン処理へ戻る。
【０１３５】
第二普通図柄変動時間カウンタの値が「０」となっていれば、第二普通図柄の変動時間が経過したと判断されて（Ｓ１３１：ＹＥＳ）、第二普通図柄の変動を停止させるための第二普通図柄停止コマンドが生成され（Ｓ１３２）、ＲＡＭ５２に記憶される。第二普通図柄停止コマンドは、次回に実行されるメイン処理のコマンド出力処理（Ｓ１０、図１０参照）によって、中継基板４７を介して図柄表示部２４に送信される。第二普通図柄停止コマンドを受信した図柄表示部２４は、第二普通図柄の変動を停止する。次いで、第二普通図柄が変動中でないことを示す「０」が第二変動フラグに記憶されて「ＯＦＦ」になる（Ｓ１３３）。
【０１３６】
次いで、Ｓ１２３で行われた第二普通当たり判定の結果が第二普通当たりであるかが判断される（Ｓ１３５）。第二普通当たり判定の結果がはずれの場合（Ｓ１３５：ＮＯ）、処理はメイン処理へ戻る。第二普通当たり判定の結果が第二普通当たりの場合（Ｓ１３５：ＹＥＳ）、第二普通当たり遊技中フラグが「ＯＮ」になる（Ｓ１３９）。処理はメイン処理へ戻る。
【０１３７】
図１５を参照して、第二普通電動役物処理（Ｓ１５、図１０参照）の詳細について説明する。第二普通電動役物処理が開始されると、第二普通当たり遊技中であるかが判断される（Ｓ１４１）。第二普通当たり遊技中フラグが「ＯＦＦ」であれば、第二普通当たり遊技中でないと判断されて（Ｓ１４１：ＮＯ）、処理はメイン処理へ戻る。
【０１３８】
第二普通当たり遊技中フラグが「ＯＮ」であれば、第二普通当たり遊技中であると判断されて（Ｓ１４１：ＹＥＳ）、第二普通当たり遊技に関する制御が行われる。まず、第二電チュー１３が開放中であるかが判断される（Ｓ１４３）。第二開放フラグが「ＯＦＦ」であれば、第二電チュー１３が閉鎖中であると判断されて（Ｓ１４３：ＮＯ）、第二電チュー１３を開放させるための第二電チュー開放コマンドが生成され（Ｓ１６１）、ＲＡＭ５２に記憶される。第二電チュー開放コマンドは、次回実行されるメイン処理のコマンド出力処理（Ｓ１０、図１０参照）において、中継基板４７に送信される。中継基板４７を介して第二電チュー開放コマンドを受信した第二電チューソレノイド６５は、第二電チュー１３の開閉部材１３１を開放させる。次いで、第二開放時間（本実施形態では、５．８秒）が、第二開放時間カウンタに記憶される（Ｓ１６２）。次いで、第二開放フラグが「ＯＮ」となり（Ｓ１６３）、処理はメイン処理へ戻る。
【０１３９】
一方、第二開放フラグが「ＯＮ」であれば、第二電チュー１３が開放中であると判断されて（Ｓ１４３：ＹＥＳ）、第二電チュー１３へ入賞した遊技球の処理、及び第二電チュー１３を閉鎖するための処理が行われる。まず、第二開放時間が経過したかが判断される（Ｓ１４５）。Ｓ１６２で記憶された第二開放時間カウンタの値が「０」でなければ、第二開放時間はまだ経過していないと判断されて（Ｓ１４５：ＮＯ）、第二電チュー１３へ遊技球が入賞したかが判断される（Ｓ１４６）。第二電チュースイッチ７２に対応するフラグが「ＯＦＦ」となっている場合には、第二電チュー１３へ遊技球が入賞していないと判断されて（Ｓ１４６：ＮＯ）、処理はＳ１４９の判断へ移行する。
【０１４０】
一方、第二電チュースイッチ７２に対応するフラグが「ＯＮ」となっている場合、第二電チュー１３へ遊技球が入賞したと判断される（Ｓ１４６：ＹＥＳ）。このため、第二電チュー１３へ入賞した遊技球の個数である第二入賞球数を計数するＲＡＭ５２の第二入賞球数カウンタに「１」が加算される（Ｓ１４８）。次いで、第二入賞球数が「４」以上であるかが判断される（Ｓ１４９）。第二入賞球数が「４」未満であれば（Ｓ１４９：ＮＯ）、継続して第二電チュー１３が開放されるので、処理はメイン処理へ戻る。
【０１４１】
第二入賞球数が「４」以上の場合（Ｓ１４９：ＹＥＳ）、又は第二開放時間が経過している場合（Ｓ１４５：ＹＥＳ）、第二電チュー１３を閉鎖するための第二電チュー閉鎖コマンドが生成され（Ｓ１５１）、ＲＡＭ５２に記憶される。第二電チュー閉鎖コマンドは、次回実行されるメイン処理のコマンド出力処理（Ｓ１０、図１０参照）において、中継基板４７に送信される。中継基板４７を介して第二電チュー開放コマンドを受信した第二電チューソレノイド６５は、第二電チュー１３の開閉部材１３１を閉鎖させる。次いで、第二開放フラグに「０」が記憶されて「ＯＦＦ」となり（Ｓ１５２）、第二普通当たり遊技中フラグに「０」が記憶されて「ＯＦＦ」となる（Ｓ１５３）。処理はメイン処理へ戻る。
【０１４２】
図１６を参照して、第三普通図柄処理（Ｓ１８、図１０参照）の詳細について説明する。第三普通図柄処理が開始されると、第二電チュー１３へ遊技球が入賞したかが判断される（Ｓ１７１）。第二電チュースイッチ７２に対応するフラグが「ＯＦＦ」となっている場合には、第二電チュー１３へ遊技球が入賞していないと判断されて（Ｓ１７１：ＮＯ）、第一非電動役物１７へ遊技球が入賞したかが判断される（Ｓ１７２）。第一非電動役物スイッチ７６に対応するフラグが「ＯＦＦ」となっている場合には、第一非電動役物１７へ遊技球が入賞していないと判断されて（Ｓ１７２：ＮＯ）、処理はＳ１８１の判断へ移行する。
【０１４３】
一方、第二電チュースイッチ７２に対応するフラグが「ＯＮ」となっている場合、第二電チュー１３へ遊技球が入賞したと判断されて（Ｓ１７１：ＹＥＳ）、処理はＳ１７３の判断へ移行する。また、第一非電動役物スイッチ７６に対応するフラグが「ＯＮ」となっている場合、第一非電動役物１７へ遊技球が入賞したと判断されて（Ｓ１７２：ＹＥＳ）、処理はＳ１７３の判断へ移行する。次いで、第三保留球数が「４」であるかが判断される（Ｓ１７３）。第三保留球数が「４」であれば（Ｓ１７３：ＹＥＳ）、第二保留球数が最大第二保留球数に達しているため、処理はＳ１８１の判断へ移行する。
【０１４４】
第三保留球数が「４」でない場合には（Ｓ１７３：ＮＯ）、ＲＡＭ５２に記憶されている第三保留球数に「１」が加算される（Ｓ１７６）。次いで、第三乱数が取得され、第三普通当たり関係情報エリアにおける空の記憶エリアのうち、番号が最も小さい記憶エリアに記憶される（Ｓ１７７）。処理はＳ１８１の判断へ移行する。
【０１４５】
次いで、全ての電チューが非作動中であるかが判断される（Ｓ１８１）。第一〜第四普通当たり遊技中フラグのうち少なくともいずれかが「ＯＮ」であれば、いずれかの電チューが開放中であると判断されて（Ｓ１８１：ＮＯ）、処理はメイン処理へ戻る。パチンコ機１は、いずれかの電チューが作動中の場合には、第三普通当たり判定の実行を保留することで、第三普通当たり遊技が他の普通当たり遊技に重複して行われないようにしている。
【０１４６】
第一〜第四普通当たり遊技中フラグのいずれもが「ＯＦＦ」であれば、全ての電チューが非作動中であると判断されて（Ｓ１８１：ＹＥＳ）、第三普通図柄が変動中であるかが判断される（Ｓ１８２）。第三変動フラグが「ＯＦＦ」であれば、第三普通図柄が変動中でないと判断されて（Ｓ１８２：ＮＯ）、ＲＡＭ５２に記憶されている第四保留球数が「１」以上であるかが判断される（Ｓ１８３）。第四保留球数が「１」以上である場合（Ｓ１８３：ＹＥＳ）、処理はメイン処理へ戻る。
【０１４７】
一方、第四保留球数が「０」である場合（Ｓ１８３：ＮＯ）、ＲＡＭ５２に記憶されている第三保留球数が「１」以上であるかが判断される（Ｓ１８９）。第三保留球数が「０」である場合（Ｓ１８９：ＮＯ）、第三普通図柄の変動は行われず、処理はメイン処理へ戻る。第三保留球数が「１」以上である場合（Ｓ１８９：ＹＥＳ）、ＲＡＭ５２に記憶されている第三保留球数が「１」減算される（Ｓ１９１）。第三普通当たり関係情報記憶エリアにおいて最も番号の小さい記憶エリアに記憶されている第三乱数が、第三普通当たり判定を行う乱数を格納するためにＲＡＭ５２に設けられている第三判定エリアにシフトされる（Ｓ１９２）。
【０１４８】
次いで、第三普通当たり判定が行われる（Ｓ１９３）。第三普通当たり判定は、第三普通当たり判定テーブルが参照されることで行われる。第三普通当たり判定テーブルは、ＲＯＭ５３に記憶されている。第三普通当たり判定テーブルには、「第三普通当たり」及び「はずれ」に各々対応する第三当たり乱数の乱数値が定義されている。第三普通当たり判定テーブルが参照されて、Ｓ１９２で第三判定エリアにシフトされた第三当たり乱数が「第三普通当たり」及び「はずれ」のいずれに対応するかが判定される。これにより、ＲＡＭ５２に記憶された未判定の第三当たり乱数に基づく第三普通当たり判定が、第三当たり乱数の記憶された順に行われる。なお、本実施形態では、第三普通当たり判定において、第三普通当たり確率（１００％）で第三普通当たりと判定される。
【０１４９】
次いで、第三普通図柄の変動を開始させるための第三普通図柄変動開始コマンドが生成され（Ｓ１９５）、ＲＡＭ５２に記憶される。第三普通図柄変動開始コマンドは、次回に実行されるメイン処理のコマンド出力処理（Ｓ１０、図１０参照）によって、中継基板４７を介して、図柄表示部２４に送信される。図柄表示部２４は、第三普通図柄の変動を開始する。次いで、予め定められている第三普通図柄の変動時間（本実施形態では、２秒）が、第三普通図柄変動時間カウンタに記憶される（Ｓ１９６）。第三普通図柄が変動中であることを示す「１」が第三変動フラグに記憶されて「ＯＮ」となり（Ｓ１９８）、処理はメイン処理へ戻る。
【０１５０】
このように、第四保留球数が「１」以上である限り、第三保留球数が「１」以上であっても第三普通図柄は変動しない。第四保留球数が「０」である場合に、第三保留球数が「１」以上であるときに、第三普通図柄が変動する。すなわち、第三普通図柄の変動優先順位は、第四普通図柄の変動優先順位よりも低い。よって、第三普通図柄と第四普通図柄との間の変動優先順位の関係は、「第四普通図柄＞第三普通図柄」と表せる。前述したように、第一普通図柄と第二普通図柄との間の変動優先順位は、「第二普通図柄＞第一普通図柄」であり、第二普通図柄の変動優先順位は、第三普通図柄及び第四普通図柄よりも低い。したがって、第一〜第四普通図柄の変動優先順位は、「第四普通図柄＞第三普通図柄＞第二普通図柄＞第一普通図柄」となる。
【０１５１】
一方、Ｓ１８２の判断において、第三変動フラグが「ＯＮ」であれば、第三普通図柄が変動中であると判断されて（Ｓ１８２：ＹＥＳ）、第三普通図柄変動時間カウンタの値に基づいて、第三普通図柄の変動時間が経過したかが判断される（Ｓ２０１）。第三普通図柄変動時間カウンタの値が「０」でなければ、第三普通図柄の変動時間がまだ経過していないと判断されて（Ｓ２０１：ＮＯ）、第三普通図柄の変動が継続され、処理はメイン処理へ戻る。
【０１５２】
第三普通図柄変動時間カウンタの値が「０」となっていれば、第三普通図柄の変動時間が経過したと判断されて（Ｓ２０１：ＹＥＳ）、第三普通図柄の変動を停止させるための第三普通図柄停止コマンドが生成され（Ｓ２０２）、ＲＡＭ５２に記憶される。第三普通図柄停止コマンドは、次回に実行されるメイン処理のコマンド出力処理（Ｓ１０、図１０参照）によって、中継基板４７を介して図柄表示部２４に送信される。図柄表示部２４は、第三普通図柄の変動を停止する。次いで、第三普通図柄が変動中でないことを示す「０」が第三変動フラグに記憶されて「ＯＦＦ」となる（Ｓ２０３）。
【０１５３】
次いで、Ｓ１９３で行われた第三普通当たり判定の結果が第三普通当たりであるかが判断される（Ｓ２０５）。第三普通当たり判定の結果がはずれの場合（Ｓ２０５：ＮＯ）、処理はメイン処理へ戻る。第三普通当たり判定の結果が第三普通当たりの場合（Ｓ２０５：ＹＥＳ）、第三普通当たり遊技中フラグが「ＯＮ」とされる（Ｓ２０９）。処理はメイン処理へ戻る。
【０１５４】
図１７を参照して、第三普通電動役物処理（Ｓ１７、図１０参照）の詳細について説明する。第三普通電動役物処理が開始されると、第三普通当たり遊技中であるかが判断される（Ｓ２１１）。第三普通当たり遊技中フラグが「ＯＦＦ」であれば、第三普通当たり遊技中でないと判断されて（Ｓ２１１：ＮＯ）、処理はメイン処理へ戻る。
【０１５５】
第三普通当たり遊技中フラグが「ＯＮ」であれば、第三普通当たり遊技中であると判断されて（Ｓ２１１：ＹＥＳ）、第三普通当たり遊技に関する制御が行われる。まず、第三電チュー１４が開放中であるかが判断される（Ｓ２１３）。第三開放フラグが「ＯＦＦ」であれば、第三電チュー１４が閉鎖中であると判断されて（Ｓ２１３：ＮＯ）、第三電チュー１４を開放させるための第三電チュー開放コマンドが生成され（Ｓ２３１）、ＲＡＭ５２に記憶される。第三電チューコマンドは、次回実行されるメイン処理のコマンド出力処理（Ｓ１０、図１０参照）において、中継基板４７に送信される。中継基板４７を介して第三電チュー開放コマンドを受信した第三電チューソレノイド６６は、第三電チュー１４の開閉部材１４１を開放させる。次いで、第三開放時間（本実施形態では、５．８秒）が、第三開放時間カウンタに記憶される（Ｓ２３２）。次いで、第三開放フラグが「ＯＮ」とされ（Ｓ２３３）、処理はメイン処理へ戻る。
【０１５６】
一方、第三開放フラグが「ＯＮ」であれば、第三電チュー１４が開放中であると判断されて（Ｓ２１３：ＹＥＳ）、第三電チュー１４へ入賞した遊技球の処理、及び第三電チュー１４を閉鎖するための処理が行われる。まず、第三開放時間が経過したかが判断される（Ｓ２１５）。Ｓ２３２で記憶された第三開放時間カウンタの値が「０」でなければ、第三開放時間はまだ経過していないと判断されて（Ｓ２１５：ＮＯ）、第三電チュー１４へ遊技球が入賞したかが判断される（Ｓ２１６）。第三電チュースイッチ７３に対応するフラグが「ＯＦＦ」となっている場合には、第三電チュー１４へ遊技球が入賞していないと判断されて（Ｓ２１６：ＮＯ）、処理はＳ２１９の判断へ移行する。
【０１５７】
一方、第三電チュースイッチ７３に対応するフラグが「ＯＮ」となっている場合、第三電チュー１４へ遊技球が入賞したと判断される（Ｓ２１６：ＹＥＳ）。このため、第三電チュー１４へ入賞した遊技球の個数である第三入賞球数を計数するＲＡＭ５２の第三入賞球数カウンタに「１」が加算される（Ｓ２１８）。次いで、第三入賞球数が「４」以上であるかが判断される（Ｓ２１９）。第三入賞球数が「４」未満であれば（Ｓ２１９：ＮＯ）、継続して第三電チュー１４が開放されるので、処理はメイン処理へ戻る。
【０１５８】
第三入賞球数が「４」以上の場合（Ｓ２１９：ＹＥＳ）、又は第三開放時間が経過した場合（Ｓ２１５：ＹＥＳ）、第三電チュー１４を閉鎖するための第三電チュー閉鎖コマンドが生成され（Ｓ２２１）、ＲＡＭ５２に記憶される。第三電チュー閉鎖コマンドは、次回実行されるメイン処理のコマンド出力処理（Ｓ１０、図１０参照）において、中継基板４７に送信される。中継基板４７を介して第三電チュー開放コマンドを受信した第三電チューソレノイド６６は、第三電チュー１４の開閉部材１４１を閉鎖させる。次いで、第三開放フラグに「０」が記憶されて「ＯＦＦ」となり（Ｓ２２２）、第三普通当たり遊技中フラグに「０」が記憶されて「ＯＦＦ」となる（Ｓ２２３）。処理はメイン処理へ戻る。
【０１５９】
図１８を参照して、第四普通図柄処理（Ｓ２０、図１０参照）の詳細について説明する。第四普通図柄処理が開始されると、第三電チュー１４へ遊技球が入賞したかが判断される（Ｓ２４１）。第三電チュースイッチ７３に対応するフラグが「ＯＦＦ」となっている場合には、第三電チュー１４へ遊技球が入賞していないと判断されて（Ｓ２４１：ＮＯ）、処理はＳ２５１の判断へ移行する。
【０１６０】
一方、第三電チュースイッチ７３に対応するフラグが「ＯＮ」となっている場合、第三電チュー１４へ遊技球が入賞したと判断されて（Ｓ２４１：ＹＥＳ）、第四保留球数が「４」であるかが判断される（Ｓ２４２）。第四保留球数が「４」であれば（Ｓ２４２：ＹＥＳ）、第四保留球数が最大第四保留球数に達しているため、処理はＳ２５１の判断へ移行する。
【０１６１】
第四保留球数が「４」でない場合には（Ｓ２４２：ＮＯ）、ＲＡＭ５２に記憶されている第四保留球数に「１」が加算される（Ｓ２４３）。次いで、第四乱数が取得され、第四普通当たり関係情報エリアにおける空の記憶エリアのうち、番号が最も小さい記憶エリアに記憶される（Ｓ２４５）。処理はＳ２５１の判断へ移行する。
【０１６２】
次いで、全ての電チューが非作動中であるかが判断される（Ｓ２５１）。第一〜第四普通当たりフラグのうちいずれかが「ＯＮ」であれば、いずれかの電チューが作動中であると判断されて（Ｓ２５１：ＮＯ）、処理はメイン処理へ戻る。パチンコ機１は、いずれかの電チューが作動中の場合には、第四普通当たり判定の実行を保留することで、第四普通当たり遊技が他の普通当たり遊技に重複して行われないようにしている。
【０１６３】
第一〜第四普通当たりフラグのいずれもが「ＯＦＦ」であれば、全ての電チューが非作動中であると判断されて（Ｓ２５１：ＹＥＳ）、第四普通図柄が変動中であるかが判断される（Ｓ２５２）。第四変動フラグが「ＯＦＦ」であれば、第四普通図柄が変動中でないと判断されて（Ｓ２５２：ＮＯ）、ＲＡＭ５２に記憶されている第四保留球数が「１」以上であるかが判断される（Ｓ２５９）。第四保留球数が「１」以上である場合（Ｓ２５９：ＹＥＳ）、ＲＡＭ５２に記憶されている第四保留球数が「１」減算される（Ｓ２６１）。第四普通当たり関係情報記憶エリアにおいて最も番号の小さい記憶エリアに記憶されている第四乱数が、第四普通当たり判定を行う乱数を格納するためにＲＡＭ５２に設けられている第四判定エリアにシフトされる（Ｓ２６２）。
【０１６４】
次いで、第四普通当たり判定が行われる（Ｓ２６３）。第四普通当たり判定は、第四普通当たり判定テーブルが参照されることで行われる。第四普通当たり判定テーブルは、ＲＯＭ５３に記憶されている。第四普通当たり判定テーブルには、「第四普通当たり」及び「はずれ」に各々対応する第四当たり乱数の乱数値が定義されている。第四普通当たり判定テーブルが参照されて、Ｓ２６２で第三判定エリアにシフトされた第四当たり乱数が「第四普通当たり」及び「はずれ」のいずれに対応するかが判定される。これにより、ＲＡＭ５２に記憶された未判定の第四当たり乱数に基づく第四普通当たり判定が、第四当たり乱数の記憶された順に行われる。なお、本実施形態では、第四普通当たり判定において，第四普通当たり確率（１００％）で第四普通当たりと判定される。
【０１６５】
次いで、第四普通図柄の変動を開始させるための第四普通図柄変動開始コマンドが生成され（Ｓ２６５）、ＲＡＭ５２に記憶される。第四普通図柄変動開始コマンドは、次回に実行されるメイン処理のコマンド出力処理（Ｓ１０、図１０参照）によって、中継基板４７を介して、図柄表示部２４に送信される。図柄表示部２４は、第四普通図柄の変動を開始する。次いで、予め定められている第四普通図柄の変動時間（本実施形態では、２秒）が、第四普通図柄変動時間カウンタに記憶される（Ｓ２６６）。第四普通図柄が変動中であることを示す「１」が第四変動フラグに記憶されて「ＯＮ」となり（Ｓ２６８）、処理はメイン処理へ戻る。
【０１６６】
一方、Ｓ２５２の判断において、第四変動フラグが「ＯＮ」であれば、第四普通図柄が変動中であると判断されて（Ｓ２５２：ＹＥＳ）、第四普通図柄変動時間カウンタの値に基づいて、第四普通図柄の変動時間が経過したかが判断される（Ｓ２８１）。第四普通図柄変動時間カウンタの値が「０」でなければ、第四普通図柄の変動時間がまだ経過していないと判断されて（Ｓ２８１：ＮＯ）、第四普通図柄の変動が継続され、処理はメイン処理へ戻る。
【０１６７】
第四普通図柄変動時間カウンタの値が「０」となっていれば、第四普通図柄の変動時間が経過したと判断されて（Ｓ２８１：ＹＥＳ）、第四普通図柄の変動を停止させるための第四普通図柄停止コマンドが生成され（Ｓ２８２）、ＲＡＭ５２に記憶される。第四普通図柄停止コマンドは、次回に実行されるメイン処理のコマンド出力処理（Ｓ１０、図１０参照）によって、中継基板４７を介して図柄表示部２４に送信される。図柄表示部２４は、第四普通図柄の変動を停止する。次いで、第四普通図柄が変動中でないことを示す「０」が第四変動フラグに記憶されて「ＯＦＦ」となる（Ｓ２８３）。
【０１６８】
次いで、Ｓ２６３で行われた第四普通当たり判定の結果が第四普通当たりであるかが判断される（Ｓ２８５）。第四普通当たり判定の結果がはずれの場合（Ｓ２８５：ＮＯ）、処理はメイン処理へ戻る。第四普通当たり判定の結果が第四普通当たりの場合（Ｓ２８５：ＹＥＳ）、第四普通当たり遊技中フラグが「ＯＮ」とされる（Ｓ２８６）。処理はメイン処理へ戻る。
【０１６９】
また、Ｓ２５９の判断において、第四保留球数が「０」の場合には（Ｓ２５９：ＮＯ）、まだ第四普通当たり判定の行われていない第四保留球が存在しないので、一連の第四普通当たり遊技が終了する。一連の第四普通当たり遊技が終了する際に、大当たり遊技も終了する場合があり、この場合には、大当たり遊技を終了させる処理を行う必要がある。そこで、まず、大当たり遊技中であるかが判断される（Ｓ２７１）。大当たり遊技状態フラグが「ＯＦＦ」であれば、大当たり遊技中でないと判断されて（Ｓ２７１：ＮＯ）、処理はメイン処理へ戻る。
【０１７０】
大当たり遊技状態フラグが「ＯＮ」であれば、大当たり遊技中であると判断されて（Ｓ２７１：ＹＥＳ）、第四普通当たり遊技が終了しているかが判断される（Ｓ２７２）。第四普通当たり遊技中フラグが「ＯＮ」であれば、第四普通当たり遊技が終了していないと判断されて（Ｓ２７２：ＮＯ）、処理はメイン処理へ戻る。
【０１７１】
第四普通当たり遊技中フラグが「ＯＦＦ」であれば、第四普通当たり遊技が終了していると判断されて（Ｓ２７２：ＹＥＳ）、第三保留球数が「１」以上であるかが判断される（Ｓ２７３）。第三保留球数が「１」以上の場合には、まだ第三普通当たり判定の行われていない第三保留球が存在する。この場合、この時点では一連の第四普通当たり遊技が終了するのみであり、一連の第四普通当たり遊技が終了した後に第三普通当たり判定によって第三普通当たりであると判定されれば、第三普通当たり遊技が行われうる。第三普通当たり遊技において開放する第三電チュー１４に遊技球が入賞することを契機として、新たに第四普通当たり遊技が行われうる。よって、第三保留球数が「１」以上である場合（Ｓ２７３：ＹＥＳ）、大当たり遊技が終了しないので、処理はメイン処理へ戻る。
【０１７２】
一方、第三保留球数が「０」である場合（Ｓ２７３：ＮＯ）、第二保留球数が「１」以上であるかが判断される（Ｓ２７５）。第三保留球数が「０」であっても、第二保留球数が「１」以上の場合には、まだ第二普通当たり判定の行われていない第二保留球が存在する。以降に第二普通当たり判定によって第二普通当たりであると判定されれば、第二普通当たり遊技が行われうる。第二普通当たり遊技において開放する第二電チュー１３に遊技球が入賞することを契機として、新たに第三普通当たり遊技が行われうる。第三普通当たり遊技が行われた場合には、新たに第四普通当たり遊技が行われ得る。よって、第二保留球数が「１」以上である場合（Ｓ２７５：ＹＥＳ）、大当たり遊技が終了しないので、処理はメイン処理へ戻る。
【０１７３】
一方、第二保留球数が「０」の場合（Ｓ２７５：ＮＯ）、第四普通当たり遊技が終了しており、まだ第二普通当たり判定及び第三普通当たり判定が行われていない第二保留球及び第三保留球が存在しないので、大当たり遊技が終了する。したがって、大当たり遊技状態フラグが「ＯＦＦ」になる（Ｓ２７６）。その後、処理はメイン処理へ戻る。
【０１７４】
図１９を参照して、第四普通電動役物処理（Ｓ１９、図１０参照）の詳細について説明する。第四普通電動役物処理が開始されると、第四普通当たり遊技中であるかが判断される（Ｓ２９１）。第四普通当たり遊技中フラグが「ＯＦＦ」であれば、第四普通当たり遊技中でないと判断されて（Ｓ２９１：ＮＯ）、処理はメイン処理へ戻る。
【０１７５】
第四普通当たり遊技中フラグが「ＯＮ」であれば、第四普通当たり遊技中であると判断されて（Ｓ２９１：ＹＥＳ）、第四普通当たり遊技に関する制御が行われる。まず、第四電チュー１５が開放中であるかが判断される（Ｓ２９３）。第四開放フラグが「ＯＦＦ」であれば、第四電チュー１５が開放中でないと判断されて（Ｓ２９３：ＮＯ）、第四電チュー１５を開放させるための第四電チュー開放コマンドが生成され（Ｓ３１１）、ＲＡＭ５２に記憶される。第四電チュー開放コマンドは、次回実行されるメイン処理のコマンド出力処理（Ｓ１０、図１０参照）において、中継基板４７に送信される。中継基板４７を介して第四電チュー開放コマンドを受信した第四電チューソレノイド６７は、第四電チュー１５の開閉部材１５１を開放させる。次いで、第四開放時間が、第四開放時間カウンタに記憶される（Ｓ３１２）。次いで、第四開放フラグが「ＯＮ」とされ（Ｓ３１３）、処理はメイン処理へ戻る。
【０１７６】
一方、第四開放フラグが「ＯＮ」であれば、第四電チュー１５が開放中であると判断されて（Ｓ２９３：ＹＥＳ）、第四電チュー１５へ入賞した遊技球の処理、及び第四電チュー１５を閉鎖するための処理が行われる。まず、第四開放時間が経過したかが判断される（Ｓ２９５）。Ｓ３１２で記憶された第四開放時間カウンタの値が「０」でなければ、第四開放時間はまだ経過していないと判断されて（Ｓ２９５：ＮＯ）、第四電チュー１５へ遊技球が入賞したかが判断される（Ｓ２９６）。第四電チュースイッチ７４に対応するフラグが「ＯＦＦ」となっている場合には、第四電チュー１５へ遊技球が入賞していないと判断されて（Ｓ２９６：ＮＯ）、処理はＳ２９９の判断へ移行する。
【０１７７】
一方、第四電チュースイッチ７４に対応するフラグが「ＯＮ」となっている場合、第四電チュー１５へ遊技球が入賞したと判断される（Ｓ２９６：ＹＥＳ）。このため、第四電チュー１５へ入賞した遊技球の個数である第四入賞数を計数するＲＡＭ５２の第四入賞球数カウンタに「１」が加算される（Ｓ２９８）。次いで、第四入賞球数が「７」以上であるかが判断される（Ｓ２９９）。第四入賞数が「７」未満であれば（Ｓ２９９：ＮＯ）、継続して第四電チュー１５が開放されるので、処理はメイン処理へ戻る。
【０１７８】
第四入賞球数が「７」以上の場合（Ｓ２９９：ＹＥＳ）、又は第四開放時間が経過している場合（Ｓ２９５：ＹＥＳ）、第四電チュー１５を閉鎖するための第四電チュー閉鎖コマンドが生成される（Ｓ３０１）。生成された第四電チュー閉鎖コマンドはＲＡＭ５２に記憶され、次回に実行されるメイン処理のコマンド出力処理（Ｓ１０、図１０参照）において、中継基板４７に送信される。中継基板４７を介して第四電チュー閉鎖コマンドを受信した第四電チューソレノイド６７は、第四電チュー１５の開閉部材１５１を閉鎖させる。次いで、第四開放フラグに「０」が記憶されて「ＯＦＦ」となり、（Ｓ３０２）、第四作動終了フラグに「１」が記憶されて「ＯＮ」になる（Ｓ３０３）。処理はメイン処理へ戻る。
【０１７９】
図２０から図２５を参照して、パチンコ機１において、ゲート１１を遊技球が通過することを契機として行われる大当たり遊技の流れを説明する。まず、図２０及び図２１を参照して、初当たり遊技の開始の契機となる第一普通当たり遊技が第一パターンＰ１で行われる場合について説明する。
【０１８０】
図２０に示すように、パチンコ機１において、左打ちで遊技が開始され、遊技球がゲート１１を通過すると、第一普通当たり判定が行われる。第一普通当たり判定によって第一普通当たりの判定結果が導出されたとする。この場合において、第一普通当たりＡの普通当たり種別が決定されたとする。第一普通図柄が当たり変動を開始し、当たり変動に同期して、表示画面２８、スピーカ４８等によって報知演出が行われる。当たり変動が終了すると、第一普通当たり遊技が第一パターンＰ１で行われる。
【０１８１】
第一パターンＰ１において時間ＴＡ（図５参照）の開放状態を伴う５回の第一電チュー１２の開閉部材１２１の開閉動作のそれぞれにおいて、第一電チュー１２に遊技球が約１個ずつ入賞する。第一パターンＰ１において第一電チュー１２に入賞した遊技球の大半は、振分流路１９の流路１９１を流下し、第一流路１９１Ａへ導かれて第一通過領域１９２を通過する。第一電チュー１２へ遊技球が入賞してから第一流路１９１Ａを流下して第一通過領域１９２を通過するまでに、第一時間ＴＫ１の時間がかかる。したがって、第一電チュー１２に遊技球が入賞してから第一時間ＴＫ１が経過した後に、第一作動機構の作動により、第一非電動役物１７の開閉部材１７１が開放する。開放した第一非電動役物１７に１個の遊技球が入賞すると、第一閉鎖機構の作動により、開閉部材１７１が閉鎖する。
【０１８２】
第一電チュー１２の開閉部材１２１の１回の開閉動作は、時間ＴＢに亘って行われる。時間ＴＢは、第一電チュー１２の開放開始時点から、第一電チュー１２に１個の遊技球が入賞し、その後第一時間ＴＫ１が経過して第一非電動役物１７が開放し、開放した第一非電動役物１７に１個の遊技球が入賞することで第一非電動役物１７が閉鎖するまでの時間を含むように設けられている。このため、本実施形態では、第一時間ＴＫ１は、時間ＴＢよりも短い時間にされている（本実施形態において、第一時間ＴＫ１は約１．７秒、時間ＴＢは約４．３秒）。第一電チュー１２の開閉動作は最大で５回繰り返して行われる。
【０１８３】
最終回（図２０においては５回目）の開放においても、第一電チュー１２に１個の遊技球が入賞したとする。第一電チュー１２の最終回の開放が終了した後、時間ＴＹの閉鎖状態が経過すると、第一パターンＰ１による第一普通当たり遊技が終了する。第一電チュー１２の最終回の開放において第一電チュー１２に入賞した遊技球は、その後第一時間ＴＫ１が経過した後に第一通過領域１９２を通過して第一非電動役物１７を開放させる。本実施形態において、第一時間ＴＫ１は、時間ＴＹよりも長い時間にされている（本実施形態において、第一時間ＴＫ１は約１．７秒、時間ＴＹは約１．６秒）。
【０１８４】
このため、図２１に示すように、第一パターンＰ１による第一普通当たり遊技の最終回の開放の開始直後（（ａ）の時点）に第一電チュー１２に遊技球が入賞した場合、第一時間ＴＫ１の終点が時間ＴＹの終点よりも先に到来する。よって、第一パターンＰ１による第一普通当たり遊技が終了するよりも先に（時間ＴＹが終了するよりも先に）、第一非電動役物１７の開放が開始される。これにより、第一普通当たり遊技の終了時点において、第一非電動役物１７が開放した状態にある。パチンコ機１において、普通図柄の変動優先順位が「第四普通図柄＞第三普通図柄＞第二普通図柄＞第一普通図柄」であるので、第一保留球数が「１」以上であっても、他の普通図柄の保留球数が「０」になるまで、第一普通図柄の変動開始が抑制される。第一普通当たり遊技が終了すると、第三保留球が記憶されているので、第三普通図柄が第一普通図柄に優先して変動を開始する。これに伴い、第三保留球数が最大第三保留球数よりも少なくなる。第一普通当たり遊技が終了するよりも前に第一非電動役物１７へ遊技球が入賞した場合には、第三普通図柄の変動が開始する前であるので、この時点で第三保留球数が最大第三保留球数に達していれば、第三保留球が新たに記憶されることはない。
【０１８５】
一方、第一普通当たり遊技が終了し、第三保留球に基づいて第三普通図柄が変動を開始した後に第一非電動役物１７に遊技球が入賞した場合には、第三保留球が最大第三保留球数に達するまで、第三保留球が新たに記憶される。すなわち、第一普通当たり遊技の終了後に第三普通図柄が変動を開始することで、一旦、第三保留球数が最大第三保留球数よりも少なくなるが、その後に第三保留球がさらに追加して記憶されて、第三保留球数が再び最大第三保留球数になる。このような、第三普通図柄の変動開始後に第三保留球が追加して記憶されることを、以下では「＋α」という。
【０１８６】
また、第一パターンＰ１による第一普通当たり遊技の最終回の開放の終了直前（（ｂ）の時点）に第一電チュー１２に遊技球が入賞した場合、第一時間ＴＫ１の終点が時間ＴＹの終点よりも後の時点になる。よって、第一パターンＰ１による第一普通当たり遊技の終了後に（時間ＴＹの終了後に）、第一非電動役物１７の開放が開始する。第一非電動役物１７の開放が開始する時点には、第三保留球に基づいて第三普通図柄が既に変動を開始しており、第三保留球数が確実に最大第三保留球数よりも少なくなっている。よって、開放した第一非電動役物１７に遊技球が入賞すると、第三保留球の新たな記憶が確実に行われて（＋αの第三保留球の記憶が確実に行われて）、第三保留球が最大第三保留球数になる。
【０１８７】
図２０の説明に戻る。以下では、第一パターンＰ１による第一普通当たり遊技の終了後に第三普通図柄が変動を開始し、この変動中に第一非電動役物１７に遊技球が入賞して＋αの第三保留球の記憶がされたとする。本実施形態では、第三普通当たり確率が１００％であるので、第三普通図柄は当たり変動を行い、変動終了後に第三普通当たり遊技が行われる。第三普通当たり遊技において第三電チュー１４が開閉動作を行う。この開閉動作において、第三電チュー１４に４個の遊技球が入賞したとする。
【０１８８】
第三電チュー１４は第四普通図柄の作動口であるので、第三電チュー１４に遊技球が入賞した場合には、第四保留球が最大４個記憶される。ここで、パチンコ機１における普通図柄の変動優先順位は、「第四普通図柄＞第三普通図柄＞第二普通図柄＞第一普通図柄」である。よって、第四保留球数が「０」になるまで、第三普通図柄の変動開始が抑制される。したがって、第三普通当たり遊技の終了後に、第四普通図柄の変動及び第四普通当たり遊技が、第四保留球数が「０」になるまで最大４回繰り返して行われる。以下では、第三電チュー１４に入賞した最大４個の遊技球のそれぞれに対して実行される最大４回の第四普通当たり遊技を合わせて「一連の第四普通当たり遊技」という。
【０１８９】
一連の第四普通当たり遊技が終了すると、第四保留球数が「０」になっているので、第三普通図柄が変動可能になる。したがって、２回目の第三普通図柄の当たり変動及び２回目の第三普通当たり遊技が行われる。その後に、一連の第四普通当たり遊技が行われる。このようにして、第一普通当たり遊技中の第一非電動役物１７の開閉動作に伴い最大４個の第三保留球が記憶され、第一普通当たり遊技の終了後にも１個の第三保留球の＋αの記憶がされる。このため、第三普通当たり遊技及び一連の第四普通当たり遊技が最大５回繰り返して行われる。これらが終了することで、大当たり遊技が終了する。
【０１９０】
この時点において、第三保留球数及び第四保留球数が「０」になっているので、第一保留球が記憶されている場合には、第一普通図柄の変動開始が可能になる。大当たり遊技の終了時点に記憶されている第一保留球数に基づく第一普通当たり判定によって第一普通当たりと判定された場合には、再び大当たり遊技が開始する。このような、大当たり遊技の終了直後に再び開始される大当たり遊技を、初当たり遊技と区別して「連荘当たり遊技」ともいう。なお、大当たり遊技の終了時点に記憶されている第一保留球数に基づく第一普通当たり判定によって第一普通当たりと判定されなかった場合には、連荘当たり遊技が行われず、遊技は左打ちに戻る。
【０１９１】
なお、第一パターンＰ１による第一普通当たり遊技の終了よりも前に、第一非電動役物１７に遊技球が入賞した場合には、＋αの第三保留球の記憶が行われない。この場合、大当たり遊技において第三普通当たり遊技及び一連の第四普通当たり遊技が繰り返して行われる回数は、最大で４回になる。つまり、第一普通当たり遊技の終了前に第一非電動役物１７に遊技球が入賞する場合よりも、第一普通当たり遊技の終了後に第一非電動役物１７に遊技球が入賞する場合の方が、＋αの第三保留球の記憶に応じて、第三普通当たり遊技及び一連の第四普通当たり遊技が１回多く繰り返して行われる。したがって、パチンコ機１は、＋αの第三保留球の記憶が行なわれるか否か、すなわち、パチンコ機１は、第一パターンＰ１の第一普通当たり遊技の終了後に第一非電動役物１７に遊技が入賞するか否かに対して、遊技者の注目を集めることができる。このため、パチンコ機１は、大当たり遊技の興趣の向上を図ることができる。
【０１９２】
次いで、図２２から図２５を参照して、初当たり遊技の開始の契機となる第一普通当たり遊技が第二パターンＰ２で行われる場合について説明する。図２２に示すように、遊技球がゲート１１を通過することを契機として第一普通当たり判定が行われ、第一普通当たりの判定結果が導出されたとする。この場合において、第一普通当たりＢの普通当たり種別が決定されたとする。第一普通図柄が当たり変動を開始し、当たり変動が終了すると、第一普通当たり遊技が第二パターンＰ２で行われる。
【０１９３】
第二パターンＰ２において初回に行われる時間ＴＣ（図５参照）の第一電チュー１２の開放において、遊技球が第一電チュー１２に入賞することは稀である。ここでは、この開放において第一電チュー１２に遊技球が入賞しなかったこととする。その後、第一電チュー１２は、所定の閉鎖状態の後に、時間ＴＡ（図５参照）の開放状態を伴う５回の第一電チュー１２の開閉部材１２１の開閉動作を行う。５回の第一電チュー１２の開閉動作のそれぞれにおいて、第一電チュー１２に遊技球が約１個ずつ入賞する。第二パターンＰ２において時間ＴＡの開放状態を伴う５回の開閉動作において第一電チュー１２に入賞した遊技球の大半は、振分流路１９の流路１９１を流下し、第二流路１９１Ｂへ導かれて第二通過領域１９３を通過する。第一電チュー１２へ遊技球が入賞してから第二流路１９１Ｂを流下して第二通過領域１９３を通過するまでに、第二時間ＴＫ２の時間がかかる。したがって、第一電チュー１２に遊技球が入賞してから第二時間ＴＫ２が経過した後に、第二作動機構の作動により、第二非電動役物１８の開閉部材１８１が開放する。開放した第二非電動役物１８に１個の遊技球が入賞すると、第二閉鎖機構の作動により、開閉部材１８１が閉鎖する。
【０１９４】
第一パターンＰ１の場合と同様に、第二パターンＰ２の後半５回の第一電チュー１２の開閉部材１２１の１回の開閉動作は、時間ＴＢに亘って行われる。時間ＴＢは、第一電チュー１２の開放開始時点から、第一電チュー１２に１個の遊技球が入賞し、その後第二時間ＴＫ２が経過して第二非電動役物１８が開放し、開放した第二非電動役物１８に１個の遊技球が入賞することで第二非電動役物１８が閉鎖するまでの時間を含むように設けられている。このため、本実施形態では、第二時間ＴＫ２は、第一時間ＴＫ１と同様に、時間ＴＢよりも短い時間にされている（本実施形態において、第二時間ＴＫ２は約１．８秒、時間ＴＢは約４．３秒）。また、第二時間ＴＫ２は、第一時間ＴＫ１よりも長い（本実施形態において、第一時間ＴＫ１は約１．７秒、第二時間ＴＫ２は約１．８秒）。
【０１９５】
最終回（図２２においては５回目）の開放においても、第一電チュー１２に１個の遊技球が入賞したとする。第一電チュー１２の最終回の開放が終了した後、時間ＴＹの閉鎖状態が経過すると、第二パターンＰ２による第一普通当たり遊技が終了する。第一電チュー１２の最終回の開放において第一電チュー１２に入賞した遊技球は、その後第二時間ＴＫ２が経過した後に第二通過領域１９３を通過して第二非電動役物１８を開放させる。本実施形態において、第二時間ＴＫ２は、時間ＴＹよりも長い時間にされている（本実施形態において、第一時間ＴＫ１は約１．８秒、時間ＴＹは約１．６秒）。
【０１９６】
このため、図２３に示すように、第二パターンＰ２による第一普通当たり遊技の最終回の開放の開始直後（（ｃ）の時点）に第一電チュー１２に遊技球が入賞した場合、第二時間ＴＫ２の終点が時間ＴＹの終点よりも先に到来する。よって、第一パターンＰ１による第一普通当たり遊技が終了するよりも僅かに先に（時間ＴＹが終了するよりも僅かに先に）、第二非電動役物１８の開放が開始される。これにより、第一普通当たり遊技の終了時点において、第二非電動役物１８が開放した状態にある。パチンコ機１において、普通図柄の変動優先順位が「第四普通図柄＞第三普通図柄＞第二普通図柄＞第一普通図柄」であるので、第一保留球数が「１」以上であっても、他の普通図柄の保留球数が「０」になるまで、第一普通図柄の変動開始が抑制される。第一普通当たり遊技が終了すると、第二保留球数が記憶されているので、第二普通図柄が第一普通図柄に優先して変動を開始する。これに伴い、第二保留球数が最大第二保留球数よりも少なくなる。第一普通当たり遊技が終了するよりも前に第二非電動役物１８へ遊技球が入賞した場合には、第二普通図柄の変動が開始する前であるので、第二保留球数が最大第二保留球数であれば、第二保留球が新たに記憶されることはない。
【０１９７】
一方、第一普通当たり遊技が終了し、第二保留球に基づいて第二普通図柄が変動を開始した後に第二非電動役物１８に遊技球が入賞した場合には、第二保留球が最大第二保留球数に達するまで、第二保留球が新たに記憶される。すなわち、第一普通当たり遊技の終了後に第二普通図柄が変動を開始することで、一旦、第二保留球数が最大第二保留球数よりも少なくなるが、その後に第二保留球がさらに追加して記憶されて、第二保留球数が再び最大第二保留球数になる。このような、第二普通図柄の変動開始後に第二保留球が追加して記憶されることも、以下では「＋α」という。
【０１９８】
また、第二パターンＰ２による第一普通当たり遊技の最終回の開放の終了直前（（ｄ）の時点）に第一電チュー１２に遊技球が入賞した場合、第二時間ＴＫ２の終点が時間ＴＹの終点よりも後の時点になる。よって、第二パターンＰ２による第一普通当たり遊技の終了後に（時間ＴＹの終了後に）、第二非電動役物１８の開放が開始する。第二非電動役物１８の開放が開始する時点には、第二保留球に基づいて第二普通図柄が既に変動を開始しており、第二保留球数が確実に最大第二保留球数よりも少なくなっている。よって、開放した第二非電動役物１８に遊技球が入賞すると、第二保留球の記憶が確実に行われて（＋αの第二保留球の記憶が確実に行われて）、第二保留球が最大第二保留球数になる。
【０１９９】
なお、第二時間ＴＫ２は、第一時間ＴＫ１よりも長い（本実施形態において、第一時間ＴＫ１は約１．７秒、第二時間ＴＫ２は約１．８秒）。よって、第一電チュー１２への入賞に伴い、第二時間ＴＫ２の終点が時間ＴＹの終点よりも後の時点になる割合は、第一時間ＴＫ１の終点が時間ＴＹの終点よりも後の時点になる割合よりも高くなる。また、図２３の（ｃ）に示した時点に第一電チュー１２に遊技球が入賞した場合において第一普通当たり遊技の終了前に第二非電動役物１８が開放状態にある時間は、図２１の（ａ）に示した時点に第一電チュー１２に遊技球が入賞した場合において第一普通当たり遊技の終了前に第一非電動役物１７が開放状態にある時間よりも短くなる。このため、第一パターンＰ１による第一普通当たり遊技よりも、第二パターンＰ２による第一普通当たり遊技の方が、保留球の＋αの追加記憶が生じやすくなる。
【０２００】
図２２の説明に戻る。以下では、第二パターンＰ２による第一普通当たり遊技の終了後に第二普通図柄が変動を開始し、この変動中に第二非電動役物１８に遊技球が入賞して＋αの第二保留球の記憶がされたとする。本実施形態では、第二普通当たり確率が１００％であるので、第二普通図柄は当たり変動を行い、変動終了後に第二普通当たり遊技が行われる。第二普通当たり遊技において第二電チュー１３が開閉動作を行う。この開閉動作において、第二電チュー１３に４個の遊技球が入場したとする。
【０２０１】
第二電チュー１３は第三普通図柄の作動口であるので、第二電チュー１３に遊技球が入賞した場合には、第三保留球が最大４個記憶される。ここで、パチンコ機１における普通図柄の変動優先順位は、「第四普通図柄＞第三普通図柄＞第二普通図柄＞第一普通図柄」である。よって、第三保留球数及び第四保留球数が「０」になるまで、第二普通図柄の変動開始が抑制される。したがって、第二普通当たり遊技の終了後に、第三普通図柄の変動及び第三普通当たり遊技が行われる。この第三普通当たり遊技の終了後には、第四普通図柄の変動及び一連の第四普通当たり遊技が、最大４回（図２２では４回）繰り返して行われる。
【０２０２】
１回目の第二普通当たり遊技、第三普通当たり遊技及び一連の第四普通当たり遊技が終了すると、第三保留球数及び第四保留球数が「０」になっているので、第二普通図柄が変動可能になる。したがって、図２４に示すように、２回目の第二普通図柄の変動及び第二普通当たり遊技が行われる。その後、第二普通当たり遊技で開放する第二電チュー１３に入賞した遊技球の個数に応じた回数（図２４では４回）の第三普通当たり遊技及び一連の第四普通当たりが行われる。一連の第四普通当たり遊技が終了すると、第三保留球数及び第四保留球数が再び「０」になるので、第二保留球に基づいて第二普通図柄が変動を開始する。以降は、３回目、及び図２５に示す４回目の第二普通当たり遊技、第三普通当たり遊技及び一連の第四普通当たり遊技が、繰り返して行われる。
【０２０３】
図２５に示すように、４回目までの第二普通当たり遊技、第三普通当たり遊技及び一連の第四普通当たり遊技が終了した時点において、＋αの記憶に伴う第二保留球が１個記憶されている。このため、＋αの記憶に伴う５回目の第二普通当たり遊技、第三普通当たり遊技及び一連の第四普通当たり遊技が行われる。その後、大当たり遊技が終了する。すなわち、＋αの第二保留球の記憶が行われることによって、大当たり遊技において第二普通当たり遊技、第三普通当たり遊技及び一連の第四普通当たり遊技が最大５回繰り返して行われる。
【０２０４】
なお、第二パターンＰ２による第一普通当たり遊技の終了よりも前に、第二非電動役物１８に遊技球が入賞した場合には、＋αの第二保留球の記憶が行われない。この場合、大当たり遊技において第二普通当たり遊技、第三普通当たり遊技及び一連の第四普通当たり遊技が繰り返して行われる回数は、最大で４回になる。つまり、第一普通当たり遊技の終了前に第二非電動役物１８に遊技球が入賞する場合よりも、第一普通当たり遊技の終了後に第二非電動役物１８に遊技球が入賞する場合の方が、＋αの第二保留球の記憶に応じて、第二普通当たり遊技、第三普通当たり遊技及び一連の第四普通当たり遊技が１回多く繰り返して行われる。したがって、パチンコ機１は、＋αの第二保留球の記憶が行なわれるか否か、すなわち、パチンコ機１は、第二パターンＰ２の第一普通当たり遊技の終了後に第二非電動役物１８に遊技が入賞するか否かに対して、遊技者の注目を集めることができる。このため、パチンコ機１は、大当たり遊技の興趣の向上を図ることができる。
【０２０５】
このように、第二パターンＰ２による第一普通当たり遊技で開始される大当たり遊技は、＋αの第二保留球の記憶に伴い、第二普通当たり遊技、第三普通当たり遊技及び一連の第四普通当たり遊技が最大５回繰り返して行われる。＋αの第二保留球の記憶が行われない場合には、第二普通当たり遊技、第三普通当たり遊技及び一連の第四普通当たり遊技が最大４回繰り返して行われる。
【０２０６】
一方、図２０に示した第一パターンＰ１による第一普通当たり遊技で開始される大当たり遊技では、第二非電動役物１８の開放が行われないため、第二保留球が記憶されず、第二普通当たり遊技が行われない。このため、第三普通当たり遊技及び一連の第四普通当たり遊技が最大５回繰り返して行われることによって大当たり遊技が終了する。つまり、第二パターンＰ２による第一普通当たり遊技で開始される大当たり遊技では、第一パターンＰ１による第一普通当たり遊技で開始される大当たり遊技における約４倍又は約５倍の回数の電チュー及び非電動役物の開閉動作が行われる。このため、第二パターンＰ２による第一普通当たり遊技で開始される大当たり遊技では、第一パターンＰ１による第一普通当たり遊技で開始される大当たり遊技の約４倍又は約５倍の賞球が払い出され得る。つまり、第二パターンＰ２による第一普通当たり遊技で開始される大当たり遊技は、第一パターンＰ１による第一普通当たり遊技で開始される大当たり遊技よりも遊技者にとって大幅に有利となる。
【０２０７】
このため、パチンコ機１は、第一普通当たり遊技が第一パターンＰ１で行われるか、第二パターンＰ２で行われるかについて、遊技者の注目を集めることができる。また、パチンコ機１は、第一普通当たり遊技が第一パターンＰ１で行われるか、第二パターンＰ２で行われるかに応じて、大当たり遊技における電チュー及び非電動役物の連動の態様を変化させることができる。したがって、パチンコ機１は、単調になりがちな一般電役タイプの遊技機における大当たり遊技を多様化し、大当たり遊技の興趣をおおいに向上できる。
【０２０８】
以上説明したように、パチンコ機１では、第一パターンＰ１による第一普通当たり遊技において、遊技球が第一電チュー１２に入賞してから第一通過領域１９２を通過するまでに、第一時間ＴＫ１の時間がかかる。第二パターンＰ２による第一普通当たり遊技において、遊技球が第一電チュー１２に入賞してから第二通過領域１９３を通過するまでに、第二時間ＴＫ２の時間がかかる。このため、第一パターンＰ１及び第二パターンＰ２のいずれの第一普通当たりにおいても、第一普通当たり遊技の終了後に非電動役物が開放状態になっているか、又は第一普通当たり遊技の終了後に非電動役物が開放する。第一パターンＰ１による第一普通当たり遊技が終了すると、第三保留球数が「０」以上になっているので、第四保留球数が「０」であれば、第三普通図柄が他の普通図柄に優先して変動を開始する。したがって、第一普通当たり遊技の終了後に、第三普通当たり判定が行われる。これに伴い第三保留球数が減少する。その後に第一非電動役物１７に遊技球が入賞した場合には、＋αの第三保留球が記憶される。第二パターンＰ２による第一普通当たり遊技も同様に、第一普通当たり遊技が終了すると、第二保留球数が「０」以上になっているので、第三保留球数及び第四保留球数が「０」であれば、第二普通図柄が他の普通図柄に優先して変動を開始する。したがって、第一普通当たり遊技の終了後に、第二普通当たり判定が行われ、第二保留球数が減少する。その後に第二非電動役物１８に遊技球が入賞した場合には、＋αの第二保留球が記憶される。このように、パチンコ機１は、第一時間ＴＫ１及び第二時間ＴＫ２を設けることで、第一普通当たり遊技の実行中に非電動役物の開閉動作が全て終了している場合には記憶することのできない＋αの保留球を記憶することができる。これにより、パチンコ機１は、このような電チュー及び非電動役物の作動態様及び＋αの保留球の記憶によって、大当たり遊技に従来にない変化を与えることができる。
【０２０９】
第一パターンＰ１では、第一電チュー１２が時間ＴＡの開放を最大５回行う。第二パターンＰ２では、第一電チュー１２が時間ＴＣの開放を行った後、時間ＴＡの開放を最大５回行う。いずれの電チュー開放パターンにおいても、最終回の開放において遊技球が第一電チュー１２に入賞した場合、第一普通当たり遊技の終了後に非電動役物が開放状態になっているか、又は第一普通当たり遊技の終了後に非電動役物が開放する。このため、パチンコ機１は、第一時間ＴＫ１及び第二時間ＴＫ２を設けることで、第一普通当たり遊技の終了後に、非電動役物への入賞に起因する＋αの保留球を記憶することができる。このようにして、パチンコ機１は、電チュー及び非電動役物の作動態様及び保留球の記憶の態様に変化を与えて、大当たり遊技の興趣を向上できる。
【０２１０】
第一パターンＰ１及び第二パターンＰ２において最大５回行われる時間ＴＡの第一電チュー１２の開放の間には、約４秒間の閉鎖状態が設けられている。時間ＴＡの開放状態の開始時点からその後の閉鎖状態の終了時点までの時間ＴＢは、第一電チュー１２の開放開始時点から、第一電チュー１２に１個の遊技球が入賞し、その後に第一時間ＴＫ１又は第二時間ＴＫ２が経過して非電動役物開放し、開放した非電動役物に１個の遊技球が入賞することで非電動役物が閉鎖するまでの時間を含むように設けられている。このため、第一電チュー１２の開放と非電動役物の開放とが交互に行われる。パチンコ機１は、大当たり遊技において第一電チュー１２と非電動役物との連動を繰り返して行うことで、大当たり遊技に変化を与え、大当たり遊技の興趣を向上できる。
【０２１１】
振分流路１９は、第一通過領域１９２及び第二通過領域１９３を備える。遊技球が第一通過領域１９２を通過した場合、第一作動機構が作動して第一非電動役物１７が開放し、遊技球が第二通過領域１９３を通過した場合、第二作動機構が作動して第二非電動役物１８が作動する。第一非電動役物１７に遊技球が入賞した場合には、第三普通当たり判定によって第三普通当たりと判定されることに伴い、第三電チュー１４が開放する第三普通当たり遊技が行われる。第二非電動役物１８に遊技球が入賞した場合には、第二普通当たり判定によって第二普通当たりと判定されることに伴い、第二電チュー１３が開放する第二普通当たり遊技が行われる。このように、第一電チュー１２への入賞に伴い、いずれかの非電動役物が開放し、開放された非電動役物のいずれに遊技球が入賞するかに応じて、その後に開放する電チューが異なる。このように、パチンコ機１は、大当たり遊技における電チュー及び非電動役物の作動態様に変化を与えることができる。また、非電動役物への入賞に伴って＋αの保留球の記憶が行われるか否かに応じて、その後の電チューの連動回数が変化するので、パチンコ機１は、大当たり遊技が有利な内容になるか否かに対して、遊技者の興味を惹きつけることができる。
【０２１２】
上記実施形態において、ゲート１１が、本発明の「通過口」に相当する。第一電チュー１２が、本発明の「第一作動入賞口」に相当する。第二電チュー１３又は第三電チュー１４が、本発明の「第二作動入賞口」に相当する。ゲート１１を遊技球が通過することを契機として行われる第一普通当たり判定で第一普通当たりの判定結果が導出されたことに応じて図１３のＳ９３又はＳ９５の処理を実行する主基板４１のＣＰＵ５１が、本発明の「第一作動手段」に相当する。第一通過領域１９２及び第二通過領域１９３が、本発明の「通過領域」に相当する。第一非電動役物１７及び第二非電動役物１８が、本発明の「入賞口」に相当する。第二非電動役物１８に遊技球が入賞することを契機として図１４のＳ１０７で第二乱数を取得し、第一非電動役物１７に遊技球が入賞することを契機として図１６のＳ１７７で第三乱数を取得する主基板４１のＣＰＵ５１が、本発明の「乱数取得手段」として機能する。図１４のＳ１２３で第二普通当たり判定を実行し、図１６のＳ１９３で第三普通当たり判定を実行する主基板４１のＣＰＵ５１が、本発明の「判定手段」として機能する。図１４のＳ１１３、Ｓ１１５及びＳ１１９の判断を行い、図１６のＳ１８３及びＳ１８９の判断を行う主基板４１のＣＰＵ５１及び第二普通当たり関係情報記憶エリア及び第三普通当たり関係情報記憶エリアを有する主基板４１のＲＡＭ５２が、本発明の「保留記憶手段」として機能する。図１５のＳ１６３及び図１７のＳ２３３の各処理を実行する主基板４１のＣＰＵ５１が、本発明の「第二作動手段」として機能する。
【０２１３】
第一通過領域１９２が、本発明の「第一領域」に相当し、第二通過領域１９３が、本発明の「第二領域」に相当する。第一非電動役物１７が、本発明の「入賞口」に相当し、第二非電動役物１８が、本発明の「第二入賞口」に相当する。第二電チュー１３又は第三電チュー１４が、本発明の「第三作動入賞口」に相当する。第一非電動役物１７に遊技球が入賞することを契機として行われる第三普通当たり判定で第三普通当たりの判定結果が導出されたことに応じて図１７のＳ２３３の処理を実行し、第二非電動役物１８に遊技球が入賞することを契機として行われる第二普通当たり判定で第二普通当たりの判定結果が導出されたことに応じて図１５のＳ１６３の処理を実行する主基板４１のＣＰＵ５１が、本発明の「第三作動手段」として機能する。
【０２１４】
本発明は、以上詳述した実施形態に限定されるものではなく、本発明の要旨を逸脱しない範囲内において種々の変更が可能である。例えば、遊技球がゲート１１を通過することを契機として、第一普通当たり判定が行われることなく、第一電チュー１２が所定の電チュー開放パターンで開閉動作を行ってもよい。
【０２１５】
パチンコ機１において、第三電チュー１４が第四普通図柄の作動口としての機能を有さなくてもよい。この場合、第三電チュー１４への遊技球の入賞に応じて第四電チュー１５の開放が生じないので、第四電チュー１５が設けられなくてもよい。
【０２１６】
上記実施形態では、第一非電動役物１７が第三普通図柄の作動口として機能し、第二非電動役物１８が第二普通図柄の作動口として機能する。例えば、第二非電動役物１８のみがいずれかの普通図柄の作動口として機能し、第一非電動役物１７が第一作動機構及び第一閉鎖機構の作動によって開閉動作を行うのみで、いずれの普通図柄の作動口としての機能しない構成であってもよい。この場合であっても、第一非電動役物１７及び第二非電動役物１８のいずれが作動するかに応じて、以降の電チュー及び非電動役物の作動態様が異なるので、大当たり遊技が多様化する。なお、これとは反対に、第一非電動役物１７がいずれかの普通図柄の作動口として機能し、第二非電動役物１８が普通図柄の作動口として機能しない構成であってもよい。
【０２１７】
第一非電動役物１７及び第二非電動役物１８のうちいずれか一方のみが設けられていてもよい。この場合、パチンコ機１に設けられる非電動役物に対応する第一通過領域１９２及び第二通過領域１９３のうちいずれか一方のみが、振分流路１９に設けられてもよい。非電動役物のうち第一非電動役物１７だけが設けられる場合、第二電チュー１３が開放することがないので、第二電チュー１３が設けられなくてもよい。
【０２１８】
第一時間ＴＫ１と第二時間ＴＫ２とを異なる時間にするための構成として、振分流路１９において第一流路１９１Ａと第二流路１９１Ｂとが同じ長さであり、第一流路１９１Ａ及び第二流路１９１Ｂのいずれかのみに抑制部１９８，１９９が設けられていてもよい。また、第一流路１９１Ａと第二流路１９１Ｂとが同じ長さであり、抑制部１９８，１９９を異なる長さで設けることで、第一時間ＴＫ１と第二時間ＴＫ２とが異なる時間にされてもよい。また、第一流路１９１Ａ及び第二流路１９１Ｂのいずれにも抑制部１９８，１９９が設けられず、第一流路１９１Ａと第二流路１９１Ｂとの長さ、形状等の違いによって、第一時間ＴＫ１と第二時間ＴＫ２とが異なる時間にされてもよい。なお、第一時間ＴＫ１と第二時間ＴＫ２とが同じ時間になるように、第一流路１９１Ａ及び第二流路１９１Ｂが構成されていてもよい。
【０２１９】
二つの非電動役物のうち、一方の非電動役物では＋αの保留球の記憶が起こりやすく、もう一方の非電動役物では＋αの保留球の記憶が起こりにくくしてもよい。例えば、第一時間ＴＫ１をより短い時間にして第一非電動役物１７への入賞によって＋αの第三保留球の記憶が生じないようにする一方、第二時間ＴＫ２を上記実施形態と同様の時間にすることで＋αの第二保留球の記憶が生じるようにしてもよい。この場合、第一電チュー１２がいずれの電チュー開放パターンで開放され、いずれの非電動役物が作動するかについて、遊技者の注目をより集めることができる。
【０２２０】
第一時間ＴＫ１及び第二時間ＴＫ２のうち少なくともいずれかが、第一電チュー１２の最終回の開放時間と、最終回の開放の後に設けられる閉鎖時間である時間ＴＹとを加算した時間よりも長い時間にされてもよい。この場合、第一電チュー１２の最終回の開放において遊技球が第一電チュー１２に入賞すること起因して、第一普通当たり遊技が確実に終了した後に非電動役物が開放する。これにより、パチンコ機１は、開放した非電動役物に遊技球が入賞した場合に、＋αの保留球の記憶が確実に行われるようにできる。
【０２２１】
上記実施形態では、開放した非電動役物に１個の遊技球が入賞することで、第一閉鎖機構又は第二閉鎖機構が作動して非電動役物が閉鎖されるが、第一閉鎖機構及び第二閉鎖機構が２個以上の遊技球の入賞によって作動してもよい。第一非電動役物１７と第二非電動役物１８とで、第一閉鎖機構及び第二閉鎖機構の作動に必要な入賞個数が異なってもよい。
【０２２２】
請求項、明細書及び図面に記載される全ての要素（例えば、第一作動入賞口、第二作動入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「第一作動入賞口」は、ハード単体でも、ソフトを含んだものであっても構わない。更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【０２２３】
１    パチンコ機
１１    ゲート
１２    第一電チュー
１３    第二電チュー
１４    第三電チュー
１５    第四電チュー
１７    第一非電動役物
１８    第二非電動役物
１９    振分流路
４１    主基板
５１    ＣＰＵ
５２    ＲＡＭ
５３    ＲＯＭ
１９２    第一通過領域
１９３    第二通過領域
【図１】
2020031966.tif 000003
【図２】
2020031966.tif 000004
【図３】
2020031966.tif 000005
【図４】
2020031966.tif 000006
【図５】
2020031966.tif 000007
【図６】
2020031966.tif 000008
【図７】
2020031966.tif 000009
【図８】
2020031966.tif 000010
【図９】
2020031966.tif 000011
【図１０】
2020031966.tif 000012
【図１１】
2020031966.tif 000013
【図１２】
2020031966.tif 000014
【図１３】
2020031966.tif 000015
【図１４】
2020031966.tif 000016
【図１５】
2020031966.tif 000017
【図１６】
2020031966.tif 000018
【図１７】
2020031966.tif 000019
【図１８】
2020031966.tif 000020
【図１９】
2020031966.tif 000021
【図２０】
2020031966.tif 000022
【図２１】
2020031966.tif 000023
【図２２】
2020031966.tif 000024
【図２３】
2020031966.tif 000025
【図２４】
2020031966.tif 000026
【図２５】
2020031966.tif 000027